(57)【要約】      （修正有）【課題】ボルトアクション銃に関し、必要時には、山野のような戸外においても、工具や治具を要せずに、レシーバー内からボルトアッセイを引き抜いて簡単な取扱操作により確実に分解と組立が行え、砂や埃を取り除いて掃除が容易に行えるようにし、また、掃除後の組立も簡単かつ確実に行え、保守・点検にも優れ、信頼度も高くするものである。【解決手段】レシーバー４の貫通孔に後端側から挿入され、押込んだ第１の位置Ｎ１と引き出した第２の位置Ｎ２との間で直線的に移動可能に且つ第１の位置Ｎ１において所定角度に周回りに回動可能に挿着されたボルトアッセイ５と、を備えたボルトアクション銃の第２の位置Ｎ２のさらに後端側（銃尾側）へボルトアッセイ５がレシーバー４から引き出される移動を常時、規制する移動規制手段と、移動規制手段によるボルトアッセイ５の移動規制を手動操作により解除する手動操作手段と、を備えている。【選択図】図３
2011012851.tif 000002
【特許請求の範囲】
【請求項１】
先端に銃口を、該銃口に連通する薬室を後端にそれぞれ有するバレルと、前記バレルの後端が先端側に取付けられ、前記薬室に通ずる貫通孔を有するレシーバーと、該レシーバーの貫通孔に後端側から挿入され、前記レシーバーに対して押込んだ第１の位置と引き出した第２の位置との間で直線的に移動可能に且つ前記第１の位置において所定角度に周回りに回動可能に挿着されたボルトアッセイと、を備え、
前記レシーバーに対して前記ボルトアッセイを前記第１の位置まで押し込んで周回りに所定角度回転させて前記薬室に弾薬を装填、閉鎖し、該装填した弾薬の弾を発射後、前記ボルトアッセイの旧位置への回動後に発射後の薬莢を前記第２の位置まで引き出して、前記弾薬の薬莢を排出させ、次に装填すべき弾薬の供給を行い、前記第２の位置から前記第１の位置に前記ボルトアッセイを押し込み、前記第１の位置における周回りに回動することにより、前記弾薬の前記薬室内への装填を行うようにしたボルトアクション銃において、
前記第２の位置のさらに後端側へ前記ボルトアッセイが前記レシーバーから引き出される移動を常時、規制する移動規制手段と、
前記移動規制手段による前記ボルトアッセイの前記移動規制を手動操作により解除する手動操作手段と、
を備えていることを特徴とするボルトアクション銃。
【請求項２】
前記ボルトアッセイを前記第１の位置へ押し込んで回動した状態で互いに係合し、前記ボルトアッセイの前記第２の位置への後退移動を規制する係合部を前記ボルトアッセイと前記レシーバーとにそれぞれ設けたことを特徴とする請求項１に記載のボルトアクション銃。
【請求項３】
前記移動規制手段は、常時ばね附勢されて前記ボルトアッセイが前記第２の位置に引き出された状態で前記ボルトアッセイの一部と係合され、ボルトアッセイが前記第１位置近傍にある状態で、前記手動操作手段の操作により、前記ばね附勢に抗して移動されて前記ボルトアッセイの一部との係合が解除される係止部材を有することを特徴とする請求項１または２に記載のボルトアクション銃。
【請求項４】
前記手動操作手段は、前記係合部材の前記ボルトアッセイの一部との係止を解除する操作位置のほかに、
前記薬室内に装填された前記弾薬を撃射させるトリガーの牽引操作を可能とする撃射モード位置と、
前記トリガーは牽引可能に設けられるが、シャーを拘束して弾薬の撃射を不能とする安全モード位置と、に弾性保持される
ことを特徴とする請求項３に記載のボルトアクション銃。
【請求項５】
前記手動操作手段は、
前記係合部の前記ボルトアッセイの一部との係止を解除する操作位置のほかに、
前記薬室内に装填された前記弾薬を撃射させるトリガーの牽引操作を可能とする撃射モード位置と、
前記トリガーは牽引可能に設けられるが、シャーを拘束して弾薬の撃射を不能とする安全モード位置と、に弾性保持される保持部を有する
ことを特徴とする請求項３または４に記載のボルトアクション銃。
【請求項６】
係止部材が、トリガーの牽引によりファイヤリングピンを動作させて弾薬の撃射を行うために、前記トリガーに連繋して配設したシャーに設けられた係止突起により構成され、該係止突起が前記ボルトアッセイを前記第２の位置から後方側に移動させる引き抜き時に、係止可能に前記ボルトアッセイの略筒状のボルトボディの外周に径方向に窪ませた係止面に係止可能に設けられ、前記係止突起は、前記ボルトアッセイが前記第１の位置に押し込み操作されて所定角度回動されると、前記ファイリングピンに設けられた突起に係合し、該ファイリングピンを弾薬の撃射に備えてコック状態に保持することを特徴とする請求項３に記載のボルトアクション銃。
【請求項７】
前記手動操作手段が、前記レシ−バーの後部一側に起倒可能に設けられた操作レバーと、該操作レバーを回動可能に枢支する断面三日月状の枢軸部と、その前方上部に前記係止突起を有するとともに、後部上側に第１係止部と後部下側には第２係止部とをそれぞれ有して、前記第１係止部と前記第２係止部との間には前記枢軸部が係止可能になるか、または回転可能になる円弧状空間部とが、それぞれ設けられた前記シャーと、該シャーが係脱可能に設けられた前記トリガーと、により構成され、
ボルトアッセイが前記第１の位置近傍にある状態で前記操作レバーを前傾に位置する時には、前記枢軸部が前記シャーの前記第１係止部を係合、押上げることにより、前記シャーは先端側に回動可能に設けられてボルトアッセイの前記移動規制手段による前記レシーバーからの引き抜き移動の規制を解除するボルト解放位置が、
前記操作レバーを中立に位置する時には、前記シャーの後部に設けた前記円弧状空間部内に前記操作レバーの前記枢軸部が回動操作可能に設けられることにより前記トリガーは牽引されて弾薬の撃射モード位置が、
そして、前記操作レバーを後傾に位置する時には、前記枢軸部が前記シャーの後部下側に設けられた前記第２係止部に係合されて前記シャーを拘束して前記トリガーは牽引可能に設けられるが、弾の撃射を不能とする安全モード位置が、それぞれ設定可能となされることを特徴としている請求項５項に記載のボルトアクション銃。
【請求項８】
前記手動操作手段の操作レバーは、保持部が、前記枢軸部により軸着される基部の上方肩部に連続して設けられる第１係合凹部、第２係合凹部、および、係止斜面部と、前記弾性部材が側面略Ｕ字状をなして前記上方肩部に弾性的に滑動可能に設けられる滑動ばね足を一端に有する弾性部材としての松葉ばねとにより構成され、
前記滑動ばね足が、前記操作レバーの中立時には、前記第１係合凹部に落ち込み可能に設けられ、
また、前記操作レバーの前傾時には、前記第２係合凹部に落ち込み可能に設けられ、
そして、前記操作レバーの後傾時には、前記係止斜面部に乗上げ可能に設けられていることにより、
前記操作レバーが節度的にかつ選択的に起倒可能に設けられている、
ことを特徴とする請求項４、５、または７の何れかｌ項に記載のボルトアクション銃。
【請求項９】
前記係合部が、薬室に通ずる貫通孔を有するレシーバーと、前記貫通孔に後端側から挿入され、前記レシーバーに対して押込んだ第１の位置と引き出した第２の位置との間で直線的に移動可能に且つ前記第１の位置において所定角度に周回りに回動可能に挿着されるボルトアッセイとを備え、
前記ボルトアッセイは、前記第１の位置に押し込まれて所定角度回動された時には第２の位置への後退側へばね附勢可能に設けられ、
前記ボルトアッセイのボルトボディの前方外周に中心周回りに１２０度毎に突設されたロッキングラグと、前記レシーバーの前記貫通孔の内周に前記ボルトボディの可動範囲にわたり軸方向に摺動可能に前記ロッキングラグに対応して凹設されたレール溝と、
前記貫通孔の前端に、前記レール溝の設置個所以外の残肉部を、前記ボルトボディが前記第１の位置に押し込まれて回動操作された時に、前記レール溝の設置個所以外の残肉部に前記ロッキングラグが後退側への前記ばね附勢により押付可能にかつ係脱可能に設けられた係合壁部と、により構成されていることを特徴とする請求項２に記載のボルトアクション銃。
【請求項１０】
前記ボルトアッセイが、略筒状のボルトボディと、前記ボルトボディ内に先端側に突出可能に配挿されるファイヤリングピンと、前記ボルトボディ内に配挿されて前記ファイヤリングピンを先端側にばね附勢するファイヤリングピンスプリングと、ハンドルを外周に有し、前記ボルトボディの後端に取付けられるハンドル操作部材と、により構成され、前記ボルトボディと前記ハンドル操作部材とは固定手段を介して着脱可能に取付けられる、ことを特徴とする請求項１〜７、または９の何れか１項に記載のボルトアクション銃。
【請求項１１】
前記ハンドル操作部材が、その前方に前記ファイヤリングピンスプリングが外挿される前方小径部を有し、後端には係入部が設けられたボルトキーと、前記ハンドルが外装された略筒形をなす基体部の内周に前記ボルトボディの後端部に着脱可能に取付けられる前記固定手段を有し、前記ボルトキーの前記係入部が係脱可能に取付けられる係合穴を対応位置に設けたボルトハンドルシュラウドと、により構成され、前記固定手段が、前記ボルトキーの前記係入部を前記係合穴に係入することにより前記ボルトハンドルシュラウドと前記ボルトキーとを一体化するとともに、前記ボルトボディと前記ボルトハンドルシュラウドとを前記ボルトキーを介して着脱可能に取付けるように構成されている、ことを特徴とする請求項１０に記載のボルトアクション銃。
【請求項１２】
前記ボルトボディが、ファイヤリングピンスプリングの附勢力を先端側に受ける前記ファイヤリングピンの後端に設けた突起を、組付け時には軸方向に進退可能に挿入させるように後端から軸方向に向けて設けられ先端に前記突起の前進を規制可能になる突起係入凹部を有する開口溝と、前記突起係入凹部の近傍の周面には、使用時に前記ハンドルによるボルトアッセイの第１の位置への押し込み、および回動操作によりシャーに設けられた係止突起に係脱可能になり、前記ファイヤリングピンスプリングを圧縮しつつ前記ファイヤリングピンを弾薬の撃射に備えてコック状態にし、前記開口溝から軸方向に連続して分岐されたカム溝と、が連設されていることを特徴とする請求項１０または１１に記載のボルトアクション銃。
【請求項１３】
前記ボルトボディが、前記開口溝の途中に周方向に交わるように設けられた円周溝と、該円周溝の頭上部に軸方向に設けられたボルトキー取付溝と、が形成され、前記ボルトキーの中程周面に設けられた突起を前記ボルトボディと前記ボルトキーとの結合時に、前記ボルトキー取付溝に前記ファイヤリングピンスプリングの後端側への附勢力に抗して係止させて前記ボルトボディと前記ボルトキーとの結合を行うことを特徴とする請求項１０または１２に記載のボルトアクション銃。
【請求項１４】
前記固定手段が、前記ボルトボディの前記円周溝の外周近傍に設けられた複数個の保持用突起と、前記保持用突起を嵌脱可能に嵌入するために前記ボルトハンドルシュラウドの前記基体部の前記開口端に設けられた着脱用切欠部と、前記着脱用切欠部の内周面の奥に周方向に連設された環状溝と、により構成されていることを特徴とする請求項１１に記載のボルトアクション銃。
【請求項１５】
前記ファイヤリングピンが、弾薬の雷管を打撃可能に設けられた小径の前方部と、前記ファイヤリングピンスプリングが内挿されてその附勢力を受ける大径の後方部と、から構成され、前記前方部と前記後方部とはねじ止め、およびピン止めにより着脱自在に一体に固定されていることを特徴とする請求項１０または１２に記載のボルトアクション銃。
【請求項１６】
前記レール溝が、前記レシーバーの貫通孔の軸芯に対し、その１つの前記レール溝の溝幅の中心は前記レシーバーの上端位置に設置され、他の２つの前記レール溝の溝幅の中心は、前記上端位置に設置される前記レール溝の前記溝幅の中心から夫々１２０度に配置されていることを特徴とする請求項９に記載のボルトアクション銃。
【請求項１７】
前記ロッキングラグが、軸方向にボルトボディの外周面に到らない深さの案内溝を有する全体形状を断面台形に形成され、前記レール溝は、全体形状を前記ロッキングラグよりも僅かに形大の断面台形に設けられるとともに、その内周には前記案内溝に摺動可能な突条部が設けられていることを特徴とする請求項９に記載のボルトアクション銃。
【請求項１８】
前記レシーバーと前記バレルとが、雌ねじと、該雌ねじに螺合される雄ねじと、よりなる結合手段により軸方向に結合され、前記雄ねじの終端に前記バレル、もしくは、前記レシーバーの軸芯、または、前記バレル、および、前記レシーバーの軸芯に対して鋭角度の傾斜面を有する円錐形のねじ締め付け止まり面が設けられ、前記ねじ締め付け止まり面が挿脱可能になる対応形状のねじ締め付け受け面が前記レシーバー、または前記バレルの対応位置に凹設されていることを特徴とする請求項１に記載のボルトアクション銃。
【請求項１９】
前記バレル内に設けられた薬室の後端凹部に、前記レシーバー内に挿脱可能に配挿される前記ボルトボディの前端部を挿入し、前記前端部の後方位置に、ファイヤリングピン収容孔と、前記ボルトボディの外部とを連通する漏洩ガス排出孔が設けられていることを特徴とする請求項１８に記載のボルトアクション銃。
【請求項２０】
前記トリガーには、時計回りに附勢し、弾の撃発後に前記トリガーの回動を停止するトリガー位置調整ねじと、前記トリガーを下方から時計回りに附勢することにより、前記トリガーの引き重さを調整するトリガースプリングと、が設けられていることを特徴とする請求項４〜７の何れか１項に記載のボルトアクション銃。
【発明の詳細な説明】
【技術分野】
【０００１】
本発明はボルトアクション銃に関し、例えば、ライフル銃に最適であり、ハンドル操作によりレシーバー内を直線移動されて薬室内に弾を装填したり、薬室を閉鎖することで弾の発射準備を行い、そして、ファイヤリングピンによる弾の撃発後は空の薬莢を排出させるというボルトアクションを行うためのボルトアッセイを例えば戸外において治具や工具を用いずに、レシーバーから簡単かつ確実に抜き取り、分解・組立を行うものである。
【背景技術】
【０００２】
従来、例えばライフル銃では、先端に銃口を、該銃口に連通する薬室を後端にそれぞれ有するバレルと、前記バレルの後端が先端側に取付けられ、前記薬室に通ずる貫通孔を有するレシーバーと、該レシーバーの貫通孔に後端側から挿入され、前記レシーバーに対して押込んだ第１の位置と引き出した第２の位置との間で直線的に移動可能に且つ前記第１の位置において所定角度に周回りに回動可能に挿着されたボルトアッセイと、を備え、前記レシーバーに対して前記ボルトアッセイを前記第１の位置まで押し込んで周回りに所定角度回転させて前記薬室に弾薬を装填し、該装填した弾薬の弾を発射後、前記ボルトアッセイの旧位置への回動後に弾を発射後の薬莢と共に前記第２の位置まで引き出して、前記弾薬の薬莢を排出させ、次に装填すべき弾薬の供給を行い、前記第２の位置から前記第１の位置に直線的に移動後に前記ボルトアッセイの前記第１の位置における回動により、前記弾薬の前記薬室内への装填を行うようにしたボルトアクション銃は知られている。
【０００３】
そして、このボルトアクション銃に用いられるボルトアッセイが、ボルトボディと、このボルトボディの前部に設けられるリムフアイヤ・ボルトヘッドと、よりなり、前記ボルトボディは、その内部にファイヤリングピンと、このファイヤリングピンを附勢するためのファイヤリングピンスプリングとが内挿され、外周にはボルトハンドルが取付けられ、後端には雄ねじ部を有するボルト栓が螺着されている。また、前記リムフアイヤ・ボルトヘッドの一側内部には、環状溝を外周端部に有するストライカー部材の先端部が挿入され、前記ボルトボディの先端部外周に半径方向に嵌挿されるピンの先端部を前記環状溝部内に係止することにより前記ボルトボディと、前記リムフアイヤ・ボルトヘッドとを組み付けたものがある（例えば、特許文献１参照）。
【先行技術文献】
【特許文献】
【０００４】
【特許文献１】米国特許第６０６１９４４号公報
【発明の概要】
【発明が解決しようとする課題】
【０００５】
ところで、上記特許文献１に記載のボルトアッセイでは、ファイヤリングピン、およびファイヤリングピンスプリングが挿入されているボルトボディには、外周にボルトハンドルが取付けられ、後端にはボルト栓が雄ねじ部を螺入することにより螺着され、そして、ボルトボディの先端部外周には、半径方向にピンが嵌挿され、このピンの先端部は、リムフアイヤ・ボルトヘッド内に先端部を挿入しているストライカー部材に設けられた環状溝部内に係止されることにより、前記ボルトボディと、前記リムフアイヤ・ボルトヘッドとは組み付けられている構造なので、銃を山野のような戸外に持ち出してボルトボディ内に砂や塵が入った場合に、ボルトハンドル操作によりレシーバー内においてレシーバーを後退移動が規制されている第２の位置から第１の位置に押し込んで回動操作することにより弾薬をバレルの薬室内に装填したり、弾薬の撃射後に第１の位置において旧位に回動操作した後に空薬莢と共に前記第２の位置に引き抜いて発射後の薬莢を排出させるといった直線的な移動、または周回りの回動操作が円滑に行うことができないことがあった。そのため、ボルトアクション動作が円滑に行えずに損なわれるので、このような場合には、レシーバーからボルトアッセイを引き抜いて工具、例えば、プライヤー、レンチ、ピット、ドライバー、ハンマーを用いて分解し、内部を掃除していたが、前記のような工具や治具がないと、レシーバーからボルトアッセイを引き抜いて分解し、内部を掃除することができなかった。しかも、ボルト栓をボルトボディの後端から螺退させたり、ピンの先端部をストライカー部材の前記環状溝部から脱係させることにより、前記ボルトボディと、前記リムフアイヤ・ボルトヘッドとの結合を解いて分解できないため、結局、レシーバー内、およびボルトアッセイの内部の掃除を行うことができなかった。
【０００６】
また、雨によって銃が濡れたり、或いは、水中での移動や歩行により、水がレシーバー内、およびボルトアッセイ内に侵入されると、内部に錆が生ずる原因になっていたが、戸外においては、同様に前記工具がないと、ボルトアッセイを分解することができなかった。しかも、ボルト栓をボルトボディの後端から螺退させたり、ピンの先端部をストライカー部材の前記環状溝部から脱係させることにより、前記ボルトボディと、前記リムフアイヤ・ボルトヘッドとの結合を解き、分解できないため、ボルトアッセイの内部の掃除を行うことができず、掃除後は同様に工具がないと、組付けを行うことができず、難儀であった。
【０００７】
また、特許文献１に記載の上記従来のボルトアッセイでは、ボルトボディの外周にボルトハンドルが取付けられ、ボルトボディとボルトハンドルとは一体化されているので、製作および加工が容易ではなく、製作コストが高価になっていたが、ボルトボディとボルトハンドルとは、別体に製作された後に組付けられる方が、製作および加工を行う際に、作業が容易になり、高精度の要求にも対応し易くなり、製作コストも安価になる。
【０００８】
本発明は上記従来の問題点を解決するとともに、必要時には、山野のような戸外においても、工具や治具を要せずに、レシーバー内からボルトアッセイを引き抜いて簡単な取扱操作により確実に分解が行え、砂や埃を取り除いて掃除が容易に行えるようにし、また、掃除後の組立も簡単かつ確実に行え、保守・点検にも優れ、信頼度も高いボルトアクション銃を提供することを目的とする。
【課題を解決するための手段】
【０００９】
本発明は上記課題に鑑みてなされ請求項１に記載の発明は、
先端に銃口を、該銃口に連通する薬室を後端にそれぞれ有するバレルと、前記バレルの後端が先端側に取付けられ、前記薬室に通ずる貫通孔を有するレシーバーと、該レシーバーの貫通孔に後端側から挿入され、前記レシーバーに対して押込んだ第１の位置と引き出した第２の位置との間で直線的に移動可能に且つ前記第１の位置において所定角度に周回りに回動可能に挿着されたボルトアッセイと、を備え、
前記レシーバーに対して前記ボルトアッセイを前記第１の位置まで押し込んで周回りに所定角度回転させて前記薬室に弾薬を装填、閉鎖し、該装填した弾薬の弾を発射後、前記ボルトアッセイの旧位置への回動後に弾を発射後の薬莢を前記第２の位置まで引き出して、前記弾薬の薬莢を排出させ、次に装填すべき弾薬の供給を行い、前記第２の位置から前記第１の位置に前記ボルトアッセイを押し込み、前記第１の位置における周回りに回動することにより、前記弾薬の前記薬室内への装填を行うようにしたボルトアクション銃において、
前記第２の位置のさらに後端側へ前記ボルトアッセイが前記レシーバーから引き出される移動を常時、規制する移動規制手段と、
前記移動規制手段による前記ボルトアッセイの前記移動規制を手動操作により解除する手動操作手段と、
を備えていることを特徴とする。
【００１０】
また、本発明の請求項２に記載の発明は、請求項１において、前記ボルトアッセイを前記第１の位置へ押し込んで回動した状態で互いに係合し、前記ボルトアッセイの前記第２の位置への後退移動を規制する係合部を前記ボルトアッセイと前記レシーバーとにそれぞれ設けたことを特徴とする。
【００１１】
また、本発明の請求項３に記載の発明は、請求項１または２において、前記移動規制手段は、常時ばね附勢されて前記ボルトアッセイが前記第２の位置に引き出された状態で前記ボルトアッセイの一部と係合され、ボルトアッセイが前記第１の位置近傍にある状態で、前記手動操作手段の操作により、前記ばね附勢に抗して移動されて前記ボルトアッセイの一部との係合が解除される係止部材を有することを特徴とする。
【００１２】
また、本発明の請求項４に記載の発明は、請求項３において、前記手動操作手段は、前記係止部材の前記ボルトアッセイの一部との係止を解除する操作位置のほかに、
前記薬室内に装填された前記弾薬を撃射させるトリガーの牽引操作を可能とする撃射モード位置と、
前記トリガーは牽引可能に設けられるが、シャーを拘束して弾薬の撃射を不能とする安全モード位置と、に弾性保持される
ことを特徴とする。
【００１３】
また、本発明の請求項５に記載の発明は、請求項３または４において、前記手動操作手段は、前記係止部材の前記ボルトアッセイの一部との係止を解除する操作位置のほかに、
前記薬室内に装填された前記弾薬を撃射させるトリガーの牽引操作を可能とする撃射モード位置と、
前記トリガーは牽引可能に設けられるが、シャーを拘束して弾薬の撃射を不能とする安全モード位置と、に弾性保持される保持部を有する
ことを特徴とする。
【００１４】
また、本発明の請求項６に記載の発明は、請求項３において、係止部材が、トリガーの牽引によりファイヤリングピンを動作させて弾薬の撃射を行うために、前記トリガーに連繋して配設したシャーに設けられた係止突起により構成され、該係止突起が前記ボルトアッセイを前記第２の位置から後方側に移動させる引き抜き時に、係止可能に前記ボルトアッセイの略筒状のボルトボディの外周に径方向に窪ませた係止面に係止可能に設けられ、前記係止突起は、前記ボルトアッセイが前記第１の位置に押し込み操作されて所定角度回動されると、その後面が前記ファイリングピンに設けられた突起に係合し、該ファイリングピンを弾薬の撃射に備えてコック状態に保持することを特徴とする。
【００１５】
また、本発明の請求項７に記載の発明は、請求項５項において、前記手動操作手段が、前記レシ−バーの後部一側に起倒可能に設けられた操作レバーと、該操作レバーを回動可能に枢支する断面三日月状の枢軸部と、その前方上部に前記係止突起を有するとともに、後部上側に第１係止部と後部下側には第２係止部とをそれぞれ有して、前記第１係止部と前記第２係止部との間には前記枢軸部が係止可能になるか、または回転可能になる円弧状空間部とが、それぞれ設けられた前記シャーと、該シャーが係脱可能に設けられた前記トリガーと、により構成され、ボルトアッセイが前記第１の位置近傍にある状態で、前記操作レバーを前傾に位置する時には、前記枢軸部が前記シャーの前記第１係止部を係合、押上げることにより、前記シャーは先端側に回動可能に設けられてボルトアッセイの前記移動規制手段による前記レシーバーからの引き抜き移動の規制を解除するボルト解放位置が、
前記操作レバーを中立に位置する時には、前記シャーの後部に設けた前記円弧状空間部内に前記操作レバーの前記枢軸部が回動操作可能に設けられることにより前記トリガーは牽引されて弾薬の撃射モード位置が、
そして、前記操作レバーを後傾に位置する時には、前記枢軸部が前記シャーの後部下側に設けられた前記第２係止部に係合されて前記シャーを拘束して前記トリガーは牽引可能に設けられるが、弾の撃射を不能とする安全モード位置が、それぞれ設定可能となされることを特徴としている。
【００１６】
また、本発明の請求項８に記載の発明は、請求項４、５、または７の何れかｌ項において、前記手動操作手段の操作レバーは、保持部が、前記枢軸部により軸着される基部の上方肩部に連続して設けられる第１係合凹部、第２係合凹部、および、係止斜面部と、前記弾性部材が側面略Ｕ字状をなして前記上方肩部に弾性的に滑動可能に設けられる滑動ばね足を一端に有する弾性部材としての松葉ばねとにより構成され、
前記滑動ばね足が、前記操作レバーの中立時には、前記第１係合凹部に落ち込み可能に設けられ、
また、前記操作レバーの前傾時には、前記第２係合凹部に落ち込み可能に設けられ、
そして、前記操作レバーの後傾時には、前記係止斜面部に乗上げ可能に設けられていることにより、
前記操作レバーが節度的にかつ選択的に起倒可能に設けられている、
ことを特徴とする。
【００１７】
また、本発明の請求項９に記載の発明は、請求項２において、前記係合部が、薬室に通ずる貫通孔を有するレシーバーと、前記貫通孔に後端側から挿入され、前記レシーバーに対して押込んだ第１の位置と引き出した第２の位置との間で直線的に移動可能に且つ前記第１の位置において所定角度に周回りに回動可能に挿着されるボルトアッセイとを備え、  前記ボルトアッセイは、前記第１の位置に押し込まれて所定角度回動された時には第２の位置への後退側へばね附勢可能に設けられ、
前記ボルトアッセイのボルトボディの前方外周に中心周回りに１２０度毎に突設されたロッキングラグと、前記レシーバーの前記貫通孔の内周に前記ボルトボディの可動範囲にわたり軸方向に摺動可能に前記ロッキングラグに対応して凹設されたレール溝と、前記貫通孔の前端に、前記レール溝の設置個所以外の残肉部を、前記ボルトボディが前記第１の位置に押し込まれて回動操作された時に、前記レール溝の設置個所以外の残肉部に前記ロッキングラグが後退側への前記ばね附勢により押付可能にかつ係脱可能に設けられた係合壁部と、により構成されていることを特徴とする。
【００１８】
また、本発明の請求項１０に記載の発明は、請求項１〜７、または９の何れか１項において、前記ボルトアッセイが、略筒状のボルトボディと、前記ボルトボディ内に先端側に突出可能に配挿されるファイヤリングピンと、前記ボルトボディ内に配挿されて前記ファイヤリングピンを先端側にばね附勢するファイヤリングピンスプリングと、ハンドルを外周に有し、前記ボルトボディの後端に取付けられるハンドル操作部材と、により構成され、前記ボルトボディと前記ハンドル操作部材とは固定手段を介して着脱可能に取付けられる、ことを特徴とする。
【００１９】
また、本発明の請求項１１に記載の発明は、請求項１０において、前記ハンドル操作部材が、その前方に前記ファイヤリングピンスプリングが外挿される前方小径部を有し、後端には係入部が設けられたボルトキーと、前記ハンドルが外装された略筒形をなす基体部の内周に前記ボルトボディの後端部に着脱可能に取付けられる前記固定手段を有し、前記ボルトキーの前記係入部が係脱可能に取付けられる係合穴を対応位置に設けたボルトハンドルシュラウドと、により構成され、前記固定手段が、前記ボルトキーの前記係入部を前記係合穴に係入することにより前記ボルトハンドルシュラウドと前記ボルトキーとを一体化するとともに、前記ボルトボディと前記ボルトハンドルシュラウドとを前記ボルトキーを介して着脱可能に取付けるように構成されている、ことを特徴とする。
【００２０】
また、本発明の請求項１２に記載の発明は、請求項１０または１１において、前記ボルトボディが、ファイヤリングピンスプリングの附勢力を先端側に受ける前記ファイヤリングピンの後端に設けた突起を、組付け時には軸方向に進退可能に挿入させるように後端から軸方向に向けて設けられ先端に前記突起の前進を規制可能になる突起係入凹部を有する開口溝と、前記突起係入凹部の近傍の周面には、使用時に前記ハンドルによるボルトアッセイの第１の位置への押し込み、および回動操作によりシャーに設けられた係止突起に係脱可能になり、前記ファイヤリングピンスプリングを圧縮しつつ前記ファイヤリングピンを弾薬の撃射に備えてコック状態にさせる、前記開口溝から軸方向に連続して分岐されたカム溝と、が連設されていることを特徴とする。
【００２１】
また、本発明の請求項１３に記載の発明は、請求項１０または１２において、前記ボルトボディが、前記開口溝の途中に周方向に交わるように設けられた円周溝と、該円周溝の頭上部に軸方向に設けられたボルトキー取付溝と、が形成され、前記ボルトキーの中程周面に設けられた突起を前記ボルトボディと前記ボルトキーとの結合時に、前記ボルトキー取付溝に前記ファイヤリングピンスプリングの後端側への附勢力に抗して係止させて前記ボルトボディと前記ボルトキーとの結合を行うことを特徴とする。
【００２２】
また、本発明の請求項１４に記載の発明は、請求項１１において、前記固定手段が、前記ボルトボディの前記円周溝の外周近傍に設けられた複数個の保持用突起と、前記保持用突起を嵌脱可能に嵌入するために前記ボルトハンドルシュラウドの前記基体部の前記開口端に設けられた着脱用切欠部と、前記着脱用切欠部の内周面の奥に周方向に連設された環状溝と、により構成されていることを特徴とする。
【００２３】
また、本発明の請求項１５に記載の発明は、請求項１０または１２において、前記ファイヤリングピンが、弾薬の雷管を打撃可能に設けられた小径の前方部と、前記ファイヤリングピンスプリングが内挿されてその附勢力を受ける大径の後方部と、から構成され、前記前方部と前記後方部とはねじ止め、およびピン止めにより着脱自在に一体に固定されていることを特徴とする。
【００２４】
また、本発明の請求項１６に記載の発明は、請求項９において、前記レール溝が、前記レシーバーの貫通孔の軸芯に対し、その１つの前記レール溝の溝幅の中心は前記レシーバーの上端位置に設置され、他の２つの前記レール溝の溝幅の中心は、前記上端位置に設置される前記レール溝の前記溝幅の中心から夫々１２０度に配置されていることを特徴とする。
【００２５】
また、本発明の請求項１７に記載の発明は、請求項９において、前記ロッキングラグが、軸方向にボルトボディの外周面に到らない深さの案内溝を有する全体形状を断面台形に形成され、前記レール溝は、全体形状を前記ロッキングラグよりも僅かに形大の断面台形に設けられるとともに、その内周には前記案内溝に摺動可能な突条部が設けられていることを特徴とする。
【００２６】
また、本発明の請求項１８に記載の発明は、請求項１において、前記レシーバーと前記バレルとが、雌ねじと、該雌ねじに螺合される雄ねじと、よりなる結合手段により軸方向に結合され、前記雄ねじの終端に前記バレル、もしくは、前記レシーバーの軸芯、または、前記バレル、および、前記レシーバーの軸芯に対して鋭角度の傾斜面を有する円錐形のねじ締め付け止まり面が設けられ、前記ねじ締め付け止まり面が挿脱可能になる対応形状のねじ締め付け受け面が前記レシーバー、または前記バレルの対応位置に凹設されていることを特徴とする。
【００２７】
また、本発明の請求項１９に記載の発明は、請求項１８において、前記バレル内に設けられた薬室の後端凹部に、前記レシーバー内に挿脱可能に配挿される前記ボルトボディの前端部を挿入し、前記前端部の後方位置に、ファイヤリングピン収容孔と、前記ボルトボディの外部とを連通する漏洩ガス排出孔が設けられていることを特徴とする。
【００２８】
また、本発明の請求項２０に記載の発明は、請求項４〜７の何れか１項において、前記トリガーには、時計回りに附勢し、弾の撃発後に前記トリガーの回動を停止するトリガー位置調整ねじと、前記トリガーを下方から時計回りに附勢することにより、前記トリガーの引き重さを調整するトリガースプリングと、が設けられていることを特徴とする。
【発明の効果】
【００２９】
本発明の請求項１に記載の発明によれば、先端に銃口を、該銃口に連通する薬室を後端にそれぞれ有するバレルと、前記バレルの後端が先端側に取付けられ、前記薬室に通ずる貫通孔を有するレシーバーと、該レシーバーの貫通孔に後端側から挿入され、前記レシーバーに対して押込んだ第１の位置と引き出した第２の位置との間で直線的に移動可能に且つ前記第１の位置において所定角度に周回りに回動可能に挿着されたボルトアッセイと、を備え、前記レシーバーに対して前記ボルトアッセイを前記第１の位置まで押し込んで周回りに所定角度回転させて前記薬室に弾薬を装填、閉鎖し、該装填した弾薬の弾を発射後、前記ボルトアッセイの旧位置への回動後に発射後の薬莢と共に前記第２の位置まで引き出して、前記弾薬の薬莢を排出させ、次に装填すべき弾薬の供給を行い、前記第２の位置から前記第１の位置に前記ボルトアッセイを押し込み、前記第１の位置における周回りに回動することにより閉鎖し、前記弾薬の薬莢を排出させ、前記第２の位置から前記第１の位置に前記ボルトアッセイを押し込み後に前記第１の位置における周回りに回動により、前記弾薬の前記薬室内への装填を行うようにしたボルトアクション銃において、前記第２の位置のさらに後端側へ前記ボルトアッセイが前記レシーバーから引き出される移動を常時、規制する移動規制手段と、前記移動規制手段による前記ボルトアッセイの前記移動規制を手動操作により解除する手動操作手段と、を備えているので、例えば銃を山野のような戸外に持ち出してレシーバー内に砂や塵が入ることにより、ボルトアッセイの第１の位置への押し込み操作や第１の位置から第２の位置へ引き出すという直線的な移動を行ったり、または、第１の位置および第２の位置において回動操作を行うのに支障を来す場合に、第２の位置のさらに後端側へボルトアッセイがレシーバーから引き出される移動を常時、規制している移動規制手段による移動規制を、手動操作手段を手動操作するという簡単な取扱操作により解除することにより、レシーバーからボルトアッセイを第２の位置の後退側に引き抜くことができ、工具、例えば、プライヤー、レンチ、ピット、ドライバー、ハンマーを必要とせずに、レシーバーからボルトアッセイを容易かつ確実に分解することができる。そして、レシーバー内に入った砂や塵を除いて掃除することができる。
【００３０】
また、掃除後にレシーバー内にボルトアッセイを組付けるのには、先ず、レシーバー内にボルトアッセイを挿入することにより、ボルトアッセイに対する移動規制手段の移動規制が行われ、組付けが終える。こうして、ハンドル操作によるレシーバー内でのボルトアッセイの第１の位置への押し込みによる薬室への弾薬の装填、押し込み後のボルトアッセイの回動による閉鎖、弾薬の撃射、回動操作、そして第１の位置から第２の位置への抜き出しによる薬莢の排出、装填すべき弾薬の供給、の一連のボルトアクションを円滑に行うことができる。そして、手動操作手段を手動操作するという簡単な取扱操作により移動規制手段による移動規制を解除して工具を用いずにレシーバーからボルトアッセイを容易かつ確実に分解することができるので、例えば弾薬を撃射することにより損傷し易いファイヤリングピンや伸縮動作により疲労を生じ易いファイヤリングピンスプリングの交換を容易に行えるという保守・管理にも優れる。
【００３１】
また、本発明の請求項２に記載の発明によれば、請求項１において前記ボルトアッセイを前記第１の位置へ押し込んで回動した状態で互いに係合し、前記ボルトアッセイの前記第２の位置への後退移動を規制する係合部を前記ボルトアッセイと前記レシーバーとにそれぞれ設けたので、ボルトアッセイをレシーバー内の第１の位置へ押し込んで回動することにより、ボルトアッセイとレシーバーとにそれぞれ設けた係合部を相互に係合することができ、バレルの薬室内に弾薬を装填して撃射の準備を行うことができる。そして、ボルトアッセイと前記レシーバーとにそれぞれ設けた係合部が係合されているので、ファイヤリングピンによる弾薬の撃射時に、撃発による銃尾方向への衝撃や反動をボルトアッセイが受けてレシーバーから抜け出るのが防止される。弾薬の撃射後においては、レシーバー内の第１の位置において、ボルトアッセイを旧位に回動することにより、ボルトアッセイとレシーバーとにそれぞれ設けた係合部相互の係合を簡単に解除することができ、その後にボルトアッセイを前記第２の位置側に後退移動することにより、ボルトアッセイとともに、撃射後の空の薬莢を移動でき、排出することができ、再び弾薬の薬室内の装填に備えることができる。このように、ボルトアッセイをレシーバー内の第１の位置へ押し込んで回動することにより、ボルトアッセイとレシーバーとにそれぞれ設けた係合部を相互に係合したり、係合を解除することができるという簡単な係合構造であるので、レシーバー内に砂や埃が入った場合のレシーバーとボルトアッセイとの分解・組付けが容易に行え、掃除を行うことができる。
【００３２】
また、本発明の請求項３に記載の発明によれば、請求項１または２において前記移動規制手段は、常時ばね附勢されて前記ボルトアッセイが前記第２の位置に引き出された状態で前記ボルトアッセイの一部と係合され、ボルトアッセイが前記第１の位置近傍にある状態で、前記手動操作手段の操作により、前記ばね附勢に抗して移動されて前記ボルトアッセイの一部との係合が解除される係止部材を有するので、例えば銃を山野のような戸外に持ち出してレシーバー内に砂や塵が入ることにより、ボルトアッセイの第１の位置への押し込み操作や第１の位置から第２の位置へ引き出すという直線的な移動を行ったり、または、第１の位置および第２の位置において回動操作を行うのに支障を来す場合に、ボルトアッセイの一部と係合されている移動規制手段としての係止部材の係合を手動操作手段を手動操作するという簡単な取扱操作により解除することにより、レシーバーからボルトアッセイを第２の位置の後退側に引き抜くことができ、工具、例えば、プライヤー、レンチ、ピット、ドライバー、ハンマーを必要とせずに、レシーバーからボルトアッセイを容易かつ確実に分解することができる。そして、レシーバー内に入った砂や塵を除いて掃除することができる。
【００３３】
また、掃除後にレシーバー内にボルトアッセイを組付けるのには、先ず、レシーバー内にボルトアッセイを挿入することにより、ボルトアッセイの一部に対する移動規制手段としての係止部材の移動規制が行われ、組付けが終える。こうして、ハンドル操作によるレシーバー内でのボルトアッセイの第１の位置への押し込みによる薬室への弾薬の装填、押し込み後のボルトアッセイの回動による閉鎖、弾薬の撃射、ボルトアッセイの回動、第１の位置から第２の位置への抜き出しによる薬莢の排出、装填すべき弾薬の供給、の一連のボルトアクションを円滑に行うことができる。そして、手動操作手段を手動操作するという簡単な取扱操作により移動規制手段による移動規制を解除して工具を用いずにレシーバーからボルトアッセイを容易かつ確実に分解することができるので、例えば弾薬を撃射することにより損傷し易いファイヤリングピンや伸縮動作により疲労を生じ易いファイヤリングピンスプリングの交換を容易に行えるという保守・管理にも優れる。
【００３４】
また、本発明の請求項４に記載の発明によれば、請求項３において前記手動操作手段は、前記係止部材の前記ボルトアッセイの一部との係止を解除する操作位置のほかに、前記薬室内に装填された前記弾薬を撃射させるトリガーの牽引操作を可能とする撃射モード位置と、前記トリガーは牽引可能に設けられるが、シャーを拘束して弾薬の撃射を不能とする安全モード位置と、に弾性保持されるので、手動操作手段を手動による簡単な取扱い操作により、係合部材のボルトアッセイの一部との係止を解除する位置に操作して弾性保持することにより、係合部材のボルトアッセイの一部との係止を解除し、工具、例えば、プライヤー、レンチ、ピット、ドライバー、ハンマーを必要とせずに、レシーバーからボルトアッセイを引き抜いて容易かつ確実に分解することができ、そして、レシーバー内に入った砂や塵を除いて掃除することができる。そして、レシーバーとボルトアッセイとの組立もレシーバー内にボルトアッセイを挿入することにより行える。
【００３５】
このほかに、手動操作手段は、手動により撃射モード位置に弾性保持されることにより、トリガーの牽引操作により、薬室内に装填された弾薬を撃射させることができる。さらに、手動操作手段は、手動により安全モード位置に弾性保持されることにより、トリガーは牽引可能に設けられるが、シャーを拘束して弾薬の撃射は不能となり、安全になる。
【００３６】
また、本発明の請求項５に記載の発明によれば、請求項３または４において前記手動操作手段は、前記係止部材の前記ボルトアッセイの一部との係止を解除する操作位置のほかに、前記薬室内に装填された前記弾薬を撃射させるトリガーの牽引操作を可能とする撃射モード位置と、前記トリガーは牽引可能に設けられるが、シャーを拘束して弾薬の撃射を不能とする安全モード位置と、に弾性保持される保持部を有するので、例えば銃を山野のような戸外に持ち出してレシーバー内に砂や塵が入ることにより、ボルトアッセイの第１の位置への押し込み操作や第１の位置から第２の位置へ引き出すという直線的な移動を行ったり、または、第１の位置および第２の位置において回動操作を行うのに支障を来す場合に、ボルトアッセイの一部と係合されている移動規制手段としての係止部材の係合を手動操作手段を手動操作して該位置に保持部により手動操作手段を確実に弾性保持させて解除することにより、レシーバーからボルトアッセイを第２の位置の後退側に引き抜くことができ、工具、例えば、プライヤー、レンチ、ピット、ドライバー、ハンマーを必要とせずに、レシーバーからボルトアッセイを容易かつ確実に分解することができる。
【００３７】
そして、レシーバー内に入った砂や塵を除いて掃除することができる。また、掃除後にレシーバー内にボルトアッセイを組付けるのには、先ず、レシーバー内にボルトアッセイを挿入することにより、ボルトアッセイの一部に対する移動規制手段としての係止部材の移動規制が行われ、組付けが終える。こうして、ハンドル操作によるレシーバー内でのボルトアッセイの第１の位置への押し込みによる薬室への弾薬の装填、押し込み後のボルトアッセイの回動による閉鎖、弾薬の撃射、ボルトアッセイの回動、第１の位置から第２の位置への抜き出しによる薬莢の排出、装填すべき弾薬の供給、の一連のボルトアクションを円滑に行うことができる。そして、手動操作手段を手動操作することにより、保持部により手動操作手段を確実に弾性保持させ、移動規制手段による移動規制を解除して工具を用いずにレシーバーからボルトアッセイを容易かつ確実に分解することができるので、例えば弾薬を撃射することにより損傷し易いファイヤリングピンや伸縮動作により疲労を生じ易いファイヤリングピンスプリングの交換を容易に行えるという保守・管理にも優れる。
【００３８】
このほか、手動操作手段は、手動により撃射モード位置に操作されて保持部により該位置に確実に弾性保持されることにより、トリガーの牽引操作により、薬室内に装填された弾薬を撃射させることができ、さらに、手動操作手段は、手動により安全モード位置に操作され、該位置に保持部に確実に弾性保持されることにより、トリガーは牽引可能に設けられるが、シャーを拘束して弾薬の撃射は不能となり、安全になる。
【００３９】
また、本発明の請求項６によれば、請求項３において係止部材が、トリガーの牽引によりファイヤリングピンを動作させて弾薬の撃射を行うために、前記トリガーに連繋して配設したシャーに設けられた係止突起により構成され、該係止突起が前記ボルトアッセイを前記第２の位置から後方側に移動させる引き抜き時に、係止可能に前記ボルトアッセイの略筒状のボルトボディの外周に径方向に窪ませた係止面に係止可能に設けられ、前記係止突起は、前記ボルトアッセイが前記第１の位置に押し込み操作されて所定角度回動されると、シャーに設けられた係止突起は、前記ファイリングピンに設けられた突起に係合し、該ファイリングピンを弾薬の撃射に備えてコック状態に保持するので、例えば銃を山野のような戸外に持ち出してレシーバー内に砂や塵が入ることにより、ボルトアッセイの第１の位置への押し込み操作や第１の位置から第２の位置へ引き出すという直線的な移動を行ったり、または、第１の位置および第２の位置においてボルトアッセイを回動操作を行うのに支障を来す場合に、ボルトアッセイの略筒状のボルトボディの外周に径方向に窪ませた係止面に係合され、トリガーに設けられている移動規制手段としての係止突起の係合を手動操作手段を手動操作して解除すると、工具、例えば、プライヤー、レンチ、ピット、ドライバー、ハンマーを必要とせずに、レシーバーからボルトアッセイを第２の位置の後退側に引き抜くことができ、レシーバーからボルトアッセイを容易かつ確実に分解することができる。そして、レシーバー内に入った砂や塵を除いて掃除することができる。また、シャーに設けられた前記係止突起は、前記ボルトアッセイが前記第１の位置に押し込み操作されて所定角度回動されると、その後面がファイリングピンに設けられた突起に係合し、該ファイリングピンを簡単な構造にてコック状態に保持し、弾薬の撃射に確実に備えることができる。
【００４０】
また、本発明の請求項７に記載の発明によれば、請求項５において、前記手動操作手段が、前記レシ−バーの後部一側に起倒可能に設けられた操作レバーと、該操作レバーを回動可能に枢支する断面三日月状の枢軸部と、その前方上部に前記係止突起を有するとともに、後部上側に第１係止部と後部下側には第２係止部とをそれぞれ有して、前記第１係止部と前記第２係止部との間には前記枢軸部が係止可能になるか、または回転可能になる円弧状空間部とが、それぞれ設けられた前記シャーと、該シャーが係脱可能に設けられた前記トリガーと、により構成され、ボルトアッセイが前記第１の位置近傍にある状態で、前記操作レバーを前傾に位置する時には、前記枢軸部が前記シャーの前記第１係止部を係合、押上げることにより、前記シャーは先端側に回動可能に設けられてボルトアッセイの前記移動規制手段による前記レシーバーからの引き抜き移動の規制を解除するボルト解放位置が、前記操作レバーを中立に位置する時には、前記シャーの後部に設けた前記円弧状空間部内に前記操作レバーの前記枢軸部が回動操作可能に設けられることにより前記トリガーは牽引されて弾薬の撃射モード位置が、そして、前記操作レバーを後傾に位置する時には、前記枢軸部が前記シャーの後部下側に設けられた前記第２係止部に係合されて前記シャーを拘束して前記トリガーは牽引可能に設けられるが、弾の撃射を不能とする安全モード位置が、それぞれ設定可能となされるので、操作レバーを手動操作して前傾に位置させボルト解放位置に設定した時には、操作レバーの断面三日月状の枢軸部がシャーの後部上側に設けられた前記第１係止部を係合、押上げることにより、シャーは先端側に回動可能に設けられてボルトアッセイの移動規制手段による前記レシーバーからの引き抜き移動の規制を簡単な取り扱い操作により容易かつ確実に解除することができる。そして、例えば銃を山野のような戸外に持ち出してレシーバー内に砂や塵が入ることにより、ボルトアッセイの第１の位置への押し込み操作や第１の位置から第２の位置へ引き出すという直線的な移動を行ったり、または、ボルトアッセイを第１の位置および第２の位置において回動操作を行うのに支障を来す場合に、ボルトアッセイの略筒状のボルトボディの外周に径方向に窪ませた係止面に係合され、トリガーに設けられている移動規制手段としての係止突起は、その係合を手動操作手段を手動操作することにより解除され、レシーバーからボルトアッセイを第２の位置の後退側に引き抜くことができ、工具、例えば、プライヤー、レンチ、ピット、ドライバー、ハンマーを必要とせずに、レシーバーからボルトアッセイを容易かつ確実に分解することができる。そして、レシーバー内に入った砂や塵を除いて掃除することができる。そして、レシーバーとボルトアッセイとの組立もレシーバー内にボルトアッセイを挿入することにより行える。
【００４１】
このほか、操作レバーを中立に位置する時には、シャーの後部に設けた円弧状空間部内に操作レバーの枢軸部が回動操作可能に設けられるので、トリガーは牽引されて弾薬の撃射モード位置が設定される。そして、操作レバーを後傾に位置する時には、枢軸部がシャーの後部下側に設けられた第２係止部に係合されてシャーを拘束するので、トリガーは牽引可能に設けられるが、弾の撃射は不能となる安全モード位置を簡単な取り扱い操作により容易かつ確実に設定可能となす。
【００４２】
また、本発明の請求項８に記載の発明によれば、請求項４、５、または７の何れかｌ項において、前記手動操作手段の操作レバーは、保持部が、前記枢軸部により軸着される基部の上方肩部に連続して設けられる第１係合凹部、第２係合凹部、および、係止斜面部と、前記弾性部材が側面略Ｕ字状をなして前記上方肩部に弾性的に滑動可能に設けられる滑動ばね足を一端に有する弾性部材としての松葉ばねとにより構成され、前記滑動ばね足が、前記操作レバーの中立時には、前記第１係合凹部に落ち込み可能に設けられ、また、前記操作レバーの前傾時には、前記第２係合凹部に落ち込み可能に設けられ、そして、前記操作レバーの後傾時には、前記係止斜面部に乗上げ可能に設けられていることにより、前記操作レバーが節度的にかつ選択的に起倒可能に設けられているので、操作レバーを前傾に位置させると、弾性部材としての松葉ばねの一端に有する滑動ばね足が操作レバーの基部の上方肩部に設けられる第２係合凹部内に落ち込んでボルト解放位置に適正に位置させ、松葉ばねの弾性力により確実に弾性保持することができる。そして、操作レバーを中立に位置する時には、松葉ばねの一端に有する滑動ばね足が、操作レバーの基部の上方肩部を弾性的に滑動され、前記第２係合凹部に連続して設けられている第１係合凹部、係止斜面部のうちの第１係合凹部内に松葉ばねの弾性力により、弾薬の撃射モード位置に弾性的に落ち込み、確実にかつ節度的に弾性保持することができる。さらに、操作レバーを後傾に位置する時には、松葉ばねの一端に有する滑動ばね足が、操作レバーの基部の上方肩部を弾性的に滑動され、第２係合凹部、第１係合凹部、係止斜面部のうちの係止斜面部に弾力的に乗り上げ、枢軸部がシャーを拘束し、トリガーは牽引可能に設けられるが、弾の撃射は不能となる安全モード位置に確実にかつ節度的に弾性保持することができ、操作は簡単かつ確実になる。
【００４３】
また、本発明の請求項９に記載の発明によれば、請求項２において、前記係合部が、薬室に通ずる貫通孔を有するレシーバーと、前記貫通孔に後端側から挿入され、前記レシーバーに対して押込んだ第１の位置と引き出した第２の位置との間で直線的に移動可能に且つ前記第１の位置において所定角度に周回りに回動可能に挿着されるボルトアッセイとを備え、前記ボルトアッセイは、前記第１の位置に押し込まれて所定角度回動された時には第２の位置への後退側へばね附勢可能に設けられ、前記ボルトアッセイのボルトボディの前方外周に中心周回りに１２０度毎に突設されたロッキングラグと、前記レシーバーの前記貫通孔の内周に前記ボルトボディの可動範囲にわたり軸方向に摺動可能に前記ロッキングラグに対応して凹設されたレール溝と、前記貫通孔の前端に、前記レール溝の設置個所以外の残肉部を、前記ボルトボディが前記第１の位置に押し込まれて回動操作された時に、前記レール溝の設置個所以外の残肉部に前記ロッキングラグが後退側への前記ばね附勢により押付可能にかつ係脱可能に設けられた係合壁部と、により構成されているので、弾薬を薬室内に装填する場合に、ハンドル操作することによりレシーバーの貫通孔内にボルトアッセイを押し込むと、このボルトアッセイのボルトボディの前方外周に中心周回りに１２０度毎に突設されたロッキングラグが、レシーバーの前記貫通孔の内周にボルトボディの可動範囲にわたり軸方向に摺動可能に前記ロッキングラグに対応して凹設されたレール溝内を案内されてガタツキがなく摺動されるため、ボルトアッセイは第２の位置から第１の位置に直線的に移動され、マガジン内にばね材により上方に附勢されて収納されている弾薬をボルトボディの先端部によりバレルの薬室内に押し込む。そして、ボルトボディの前方外周に中心周回りに１２０度毎に突設されたロッキングラグが、レシーバーの貫通孔の内周に凹設されたレール溝の前端を抜け出た後に、ハンドル操作してボルトアッセイを所定角度周回りに回動操作させると、ボルトアッセイのボルトボディの前方外周に中心周回りに１２０度毎に突設されたロッキングラグが、貫通孔の前端に、前記レール溝の設置個所以外の残肉部に設けられた係合壁部に後退側への前記ばね附勢により押付けられて係合され、薬室内に弾薬が装填される。
【００４４】
それから、トリガーを牽引することにより、装填した弾薬の弾を発射すると、弾薬の撃射により発生される衝撃や反動力をボルトアッセイのボルトボディが受けても、ボルトボディの前方外周に中心周回りに１２０度毎に突設されたロッキングラグが、貫通孔の前端に、前記レール溝の設置個所以外の残肉部に設けられた係合壁部に係合されていることにより、レシーバーの貫通孔から不用意に抜け出ることはない。充填した弾薬の弾を発射後には、ハンドル操作により、ボルトアッセイを第１の位置において旧位置に回動後に、レール溝内においてロッキングラグを案内し、第１の位置から第２の位置側にボルトアッセイを直線的に移動させる。この時、ボルトボディの先端凹部内に薬莢は保持されて後退移動されると共に、撃射された弾薬の薬莢を排出させ、次ぎに装填すべきマガジンからの弾薬の供給が行われ、ボルトアッセイを第２の位置に後退移動する。
【００４５】
本発明の請求項１０に記載の発明によれば、請求項１〜７、または９の何れか１項において、前記ボルトアッセイが、略筒状のボルトボディと、前記ボルトボディ内に先端側に突出可能に配挿されるファイヤリングピンと、前記ボルトボディ内に配挿されて前記ファイヤリングピンを先端側にばね附勢するファイヤリングピンスプリングと、ハンドルを外周に有し、前記ボルトボディの後端に取付けられるハンドル操作部材と、により構成され、前記ボルトボディと前記ハンドル操作部材とは固定手段を介して着脱可能に取付けられるので、例えば銃を山野のような戸外に持ち出してレシーバー内に直線的に移動可能に、且つ回動可能に設けられたボルトアッセイのボルトボディと、ハンドルを有するハンドル操作部材との内部に砂や塵が入ることにより、ボルトアッセイを第１の位置へ押し込んだり、もしくは、第１の位置から第２の位置へ引き出すという直線的な移動を行ったり、または、第１の位置および第２の位置において回動操作を行うのに支障を来す場合に、移動規制手段による移動規制を、手動操作手段を手動操作することにより解除した後に、レシーバーからボルトアッセイを第２の位置の後退側に引き抜き、工具、例えば、プライヤー、レンチ、ピット、ドライバー、ハンマーを必要とせずに、ボルトボディとハンドル操作部材とを固定手段を介して容易かつ確実に分解することができる。そして、ボルトボディとハンドル操作部材とに入った砂や塵を除いて掃除することができる。また、掃除後には、ボルトボディとハンドル操作部材とを固定手段を介して組付けることができる。こうして、ハンドル操作によるレシーバー内でのボルトアッセイの第１の位置への押し込み、または、ボルトアッセイの押し込み後の回動、そして、第１の位置から第２の位置への抜き出し、または、回動操作により、薬室への弾薬の装填、弾薬の撃射、装填すべき弾薬の供給、薬莢の排出という一連のボルトアクションを円滑に行うことができる。そして、ボルトボディとハンドル操作部材とを容易かつ確実に分解することができるので、例えば弾薬を撃射することにより損傷し易いファイヤリングピンや伸縮動作により機械的疲労を生じ易いファイヤリングピンスプリングの交換を容易に行えるという保守・管理にも優れる。
【００４６】
また、本発明の請求項１１に記載の発明によれば、請求項１０において、前記ハンドル操作部材が、その前方に前記ファイヤリングピンスプリングが外挿される前方小径部を有し、後端には係入部が設けられたボルトキーと、前記ハンドルが外装された略筒形をなす基体部の内周に前記ボルトボディの後端部に着脱可能に取付けられる前記固定手段を有し、前記ボルトキーの前記係入部が係脱可能に取付けられる係合穴を対応位置に設けたボルトハンドルシュラウドと、により構成され、前記固定手段が、前記ボルトキーの前記係入部を前記係合穴に係入することにより前記ボルトハンドルシュラウドと前記ボルトキーとを一体化するとともに、前記ボルトボディと前記ボルトハンドルシュラウドとを前記ボルトキーを介して着脱可能に取付けるように構成されている、ことを特徴とするので、例えば銃を山野のような戸外に持ち出してレシーバー内に直線的に移動可能に、且つ回動可能に設けられたボルトアッセイのボルトボディと、ハンドルを有するハンドル操作部材との内部に砂や塵が入ることにより、ボルトアッセイを第１の位置へ押し込んだり、もしくは、第１の位置から第２の位置へ引き出すという直線的な移動を行ったり、または、第１の位置および第２の位置において回動操作を行うのに支障を来す場合に、移動規制手段による移動規制を、手動操作手段を手動操作することにより解除した後に、レシーバーからボルトアッセイを第２の位置の後退側に引き抜き後に、工具、例えば、プライヤー、レンチ、ピット、ドライバー、ハンマーを必要とせずに、ボルトボディとハンドル操作部材とを容易かつ確実に分解することができる。そして、ボルトボディとハンドル操作部材との間に入った砂や塵を除いて掃除することができる。しかも、ハンドル操作部材が、その前方に前記ファイヤリングピンスプリングが外挿される前方小径部を有し、後端には係入部が設けられたボルトキーと、ハンドルが外装された略筒形をなす基体部の内周にボルトボディの後端部に着脱可能に取付けられる固定手段を有し、前記ボルトキーの前記係入部が係脱可能に取付けられる係合穴を対応位置に設けたボルトハンドルシュラウドと、により構成されるので、前記ボルトキーの前記係入部をボルトハンドルシュラウドの係合穴から脱係したり、係入することにより、ハンドル操作部材の前記ボルトハンドルシュラウドと前記ボルトキーとを固定手段を介して分解したり、組立てることができ、内部の掃除が行える。また、掃除後には、ボルトボディとハンドル操作部材とを前記固定手段を介して組付けることができる。こうして、ハンドル操作によるレシーバー内でのボルトアッセイの第１の位置への押し込み、または、押し込み後のボルトアッセイの回動、そして、第１の位置から第２の位置への抜き出し、もしくは、回動操作により、薬室への弾薬の装填、弾薬の撃射、装填すべき弾薬の供給、薬莢の排出という一連のボルトアクションを円滑かつ確実に行うことができる。そして、ボルトボディとハンドル操作部材とを工具なしに容易かつ確実に分解することができるので、例えば弾薬を撃射することにより損傷し易いファイヤリングピンや伸縮動作により疲労を生じ易いファイヤリングピンスプリングの交換を容易に行えるという保守・管理にも優れる。
【００４７】
また、本発明の請求項１２に記載の発明によれば、請求項１０または１１において前記ボルトボディが、ファイヤリングピンスプリングの附勢力を先端側に受ける前記ファイヤリングピンの後端に設けた突起を、組付け時には軸方向に進退可能に挿入させるように後端から軸方向に向けて設けられ先端に前記突起の前進を規制可能になる突起係入凹部を有する開口溝と、前記突起係入凹部の近傍の周面には、使用時に前記ハンドルによるボルトアッセイの第１の位置への押し込み、および回動操作によりシャーに設けられた係止突起に係脱可能になり、前記ファイヤリングピンスプリングを圧縮しつつ前記ファイヤリングピンを弾薬の撃射に備えてコック状態にさせる、前記開口溝から軸方向に連続して分岐されたカム溝と、が連設されているので、ボルトアッセイの略筒状のボルトボディと、このボルトボディ内に内挿されているファイヤリングピンとを分解するのには、ファイヤリングピンスプリングの附勢力に抗してファイヤリングピンを後端側に押し込み、このファイヤリングピンの後端に設けられた突起をカム溝から、このカム溝に連設してボルトボディの後端に開口している開口溝へと移動し開口溝から抜け出すことにより、ボルトボディと、このボルトボディに内挿入されたファイヤリングピンとを工具、例えば、プライヤー、レンチ、ピット、ドライバー、ハンマーを必要とせずに、分解することができ、ボルトアッセイの略筒状のボルトボディ内に入った砂、埃を掃除することができる。掃除後に、ボルトアッセイの略筒状のボルトボディとファイヤリングピンとを組付けるのには、ファイヤリングピンスプリングの附勢力を前方へ受けるファイヤリングピンの後端に設けた突起を略筒状のボルトボディの後端から軸方向に向けて設けられた開口溝から挿入するようにしてファイヤリングピンスプリングの附勢力に抗してファイヤリングピンをボルトボディ内に後端から挿入して押し込む。そして、開口溝の先端に設けられた突起係入凹部内にファイヤリングピンの前記突起を係止させることにより前進を規制する。この時、ファイヤリングピンスプリングの附勢力に抗してファイヤリングピンのボルトボディ内の押し込み操作は、ハンドル操作部材により行うようにすれば便利である。そして、ハンドル操作によるボルトボディの第１の位置での押し込み位置において、ファイヤリングピンに対してボルトボディを相対的に回動することにより、ファイヤリングピンの後端に設けられた突起をボルトボディの後端から軸方向に向けて設けた開口溝に前記突起係入凹部の近傍から周面に分岐するカム溝内に移動可能とするとともに、シャーに設けられた係止突起に係脱可能に設けることにより組付けを行う。そして、前述のように、前記突起係入凹部の近傍から周面には、前記開口溝から軸方向に連続して分岐されたカム溝が設けられているので、使用時にはハンドルにより、ボルトアッセイの第１の位置への押し込み、および回動操作により、ファイヤリングピンの後端に設けた突起は、シャーに設けられた係止突起に係脱可能になるため、簡単な構造により前記ファイヤリングピンスプリングを圧縮しつつ前記ファイヤリングピンを弾薬の撃射に備えて確実にコック状態にすることができる。
【００４８】
また、本発明の請求項１３に記載の発明によれば、請求項１０または１２において、前記ボルトボディが、前記開口溝の途中に周方向に交わるように設けられた円周溝と、該円周溝の頭上部に軸方向に設けられたボルトキー取付溝と、が形成され、前記ボルトキーの中程周面に設けられた突起を前記ボルトボディと前記ボルトキーとの結合時に、前記ボルトキー取付溝に前記ファイヤリングピンスプリングの後端側への附勢力に抗して係止させて前記ボルトボディと前記ボルトキーとの結合を行うので、ボルトボディとボルトキーとを分解するのには、ファイヤリングピンスプリングの後端側への附勢力に抗してボルトキーを押し込み、該ボルトキーに対してボルトボディを相対的に回転することにより、ファイヤリングピンの中程周面に設けられた突起をボルトキー取付溝から脱係させ、このボルトキー取付溝が途中に連設されてボルトボディの軸方向に後端まで開口されている開口溝を通じて突起の係合が解かれるため、工具、例えば、プライヤー、レンチ、ピット、ドライバー、ハンマーを必要とせずに、ボルトボディとハンドル操作部材のボルトキーとが分解される。従って、ボルトボディと、ハンドル操作部材との間に砂や埃が入った場合に、ボルトボディと、ハンドル操作部材とをボルトキーを介して分解することにより掃除を行うことができる。また、ハンドル操作部材のボルトボディとボルトキーとを結合する場合に、ボルトキーの中程周面に設けられた突起を略筒状のボルトボディの後端に軸長方向に設けられた開口溝から挿入し、この開口溝の途中に周方向に交わるように設けられた円周溝の頭上部に軸方向に形成されたボルトキー取付溝内にファイヤリングピンスプリングの附勢力に抗して係止することにより、工具なしに簡単な取り扱い操作によりボルトボディと、このボルトボディに結合されるボルトキーを介してハンドル操作部材が結合され、棒状のボルトアッセイを組付けることができる。
【００４９】
また、本発明の請求項１４に記載の発明によれば、請求項１１において、前記固定手段が、前記ボルトボディの前記円周溝の外周近傍に設けられた複数個の保持用突起と、前記保持用突起を嵌脱可能に嵌入するために前記ボルトハンドルシュラウドの前記基体部の前記開口端に設けられた着脱用切欠部と、前記着脱用切欠部の内周面の奥に周方向に連設された環状溝と、により構成されていることを特徴とするので、ボルトボディとボルトハンドルシュラウドとの結合を解いて分解するのには、ボルトボディとボルトハンドルシュラウドとを相対移動させることにより、ボルトハンドルシュラウドの基体部の奥の内周に着脱用切欠部に連通して設けられた環状溝内に係止されているボルトボディの円周溝の外周近傍に設けられた複数個の保持用突起の係止を解除し、複数個の保持用突起を着脱用切欠部から引き抜くことにより、ボルトボディとボルトハンドルシュラウドとを工具、例えば、プライヤー、レンチ、ピット、ドライバー、ハンマーを必要とせずに、分解し、ボルトボディと、ハンドル操作部材との間に砂や埃が入った場合の掃除が行える。また、ボルトボディとボルトハンドルシュラウドとを結合するのには、ボルトボディの円周溝の外周近傍に設けられた複数個の保持用突起をボルトハンドルシュラウドの基体部の開口端に設けられた着脱用切欠部内に挿入後に、ボルトボディとボルトハンドルシュラウドとを旧方向に相対的に回動させることにより、保持用突起を着脱用切欠部の内周面の奥に周方向に連設された環状溝内に係止させてボルトボディとボルトハンドルシュラウドとを結合する。
【００５０】
また、本発明の請求項１５に記載の発明によれば、請求項９において、前記ファイヤリングピンが、弾薬の雷管を打撃可能に設けられた小径の前方部と、前記ファイヤリングピンスプリングが内挿されてその附勢力を受ける大径の後方部と、から構成され、前記前方部と前記後方部とはねじ止め、およびピン止めにより着脱自在に一体に固定されているので、弾薬を撃射することにより摩耗や損傷が著しいファイヤリングピンの小径の前方部を、ファリングピンスプリングを内挿させて前方に附勢させる大径の後方部からねじ止め、またはピン止めを外すことで新しいものと交換できる。
【００５１】
本発明の請求項１６に記載の発明によれば、請求項９において、前記レール溝が、前記レシーバーの貫通孔の軸芯に対し、その１つの前記レール溝の溝幅の中心は前記レシーバーの上端位置に設置され、他の２つの前記レール溝の溝幅の中心は、前記上端位置に設置される前記レール溝の前記溝幅の中心から夫々１２０度に配置されているので、レシーバーを第１の位置へ押し込んだり、または、第２の位置へ引抜くという、直線的な移動を行う場合に、レシーバーには、弾薬が収納されているマガジンを装着するための装着口を下面に有し、一側には弾薬を撃射後の窓孔が開設されているとしても、レシーバーの貫通孔の内周に設置された１の前記レール溝の溝幅の中心は前記レシーバーの上端位置に設置され、他の２つの前記レール溝の溝幅の中心は、前記上端位置に設置された前記レール溝の前記溝幅の中心から夫々１２０度に等角度に配置されたレール溝によりボルトアッセイは案内されるため、ボルトアッセイのレシーバー内への第１の位置への押し込み、または、第２の位置への引抜きという、直線的な移動を行う場合に、ガタツキなく、円滑かつ確実に行える。
【００５２】
本発明の請求項１７に記載の発明によれば、請求項９において、前記ロッキングラグが、軸方向にボルトボディの外周面に到らない深さの案内溝を有する全体形状を断面台形に形成され、前記レール溝は、全体形状を前記ロッキングラグよりも僅かに形大の断面台形に設けられるとともに、その内周には前記案内溝に摺動可能な突条部が設けられているので、ボルトアッセイをレシーバーの第１の位置へ押し込んだり、または、第２の位置側へ引抜くという、直線的な移動を行う場合に、ボルトボディの前方外周に中心周回りに１２０度毎に全体形状を断面台形に突設されたロッキングラグが、全体形状を前記ロッキングラグよりも僅かに形大の断面台形にレシーバーの内周に設けられたレール溝によりがたつきなく安定に案内されるのと、ロッキングラグに設けられた案内溝内にレシーバーの前記レール溝に設けられた突状部がガタツキなく摺動可能に二重に案内されることからボルトアッセイの第１の位置への押し込み、または、第２の位置への引抜きという、直線的な移動を行う場合に、円滑かつ確実に行える。
【００５３】
本発明の請求項１８に記載の発明によれば、請求項１において、前記レシーバーと前記バレルとが、雌ねじと、該雌ねじに螺合される雄ねじと、よりなる結合手段により軸方向に結合され、前記雄ねじの終端に前記バレル、もしくは、前記レシーバーの軸芯、または、前記バレル、および、前記レシーバーの軸芯に対して鋭角度の傾斜面を有する円錐形のねじ締め付け止まり面が設けられ、前記ねじ締め付け止まり面が挿脱可能になる対応形状のねじ締め付け受け面が前記レシーバー、または前記バレルの対応位置に凹設されているので、レシーバーと前記バレルとが、雌ねじと、該雌ねじに螺合される雄ねじと、よりなる結合手段により軸方向に結合され構造堅牢に強固に結合される。この際、前記雄ねじの終端に前記バレル、もしくは、前記レシーバーの軸芯、または、前記バレル、および、前記レシーバーの軸芯に対して鋭角度の傾斜面を有する円錐形のねじ締め付け止まり面が設けられ、前記ねじ締め付け止まり面が挿脱可能になる対応形状のねじ締め付け受け面が前記レシーバー、または前記バレルの対応位置に凹設されているので、前記レシーバーと前記バレルとを、雌ねじと、該雌ねじに螺合される雄ねじと、よりなる結合手段により軸方向に結合する場合に、バレル、および、前記レシーバーの軸芯に対して鋭角度の傾斜面を有する円錐形のねじ締め付け止まり面が、レシーバー、または前記バレルの対応位置に凹設されたねじ締め付け受け面内に螺合されることにより、バレルとレシーバーとは軸芯が相互に一致する。このため、銃の完成時に、レシーバー内に挿入されるボルトアッセイとバレル内に形成される薬室との間に芯ずれを生ずることなく、ファイヤリングピンと雷管とが偏芯する不発の原因は一掃され、弾の命中精度を高くできる。
【００５４】
本発明の請求項１９に記載の発明によれば、請求項１８において、前記バレル内に設けられた薬室の後端凹部に、前記レシーバー内に挿脱可能に配挿される前記ボルトボディの前端部を挿入し、前記前端部の後方位置に、ファイヤリングピン収容孔と、前記ボルトボディの外部とを連通する漏洩ガス排出孔が設けられているので、ファイヤリングピンにより弾薬を撃射した爆発ガスはファイヤリングピン収容孔から漏洩ガス排出孔を通じてボルトボディの外部に速やかに排出される。
【００５５】
さらに、本発明の請求項２０に記載の発明によれば、請求項４〜７の何れか１項において、前記トリガーには、時計回りに附勢し、弾の撃発後に前記トリガーの回動を停止するトリガー位置調整ねじと、前記トリガーを下方から時計回りに附勢することにより、前記トリガーの引き重さを調整するトリガースプリングと、が設けられているので、トリガーはトリガー位置調整ねじにより、時計回りに附勢され、弾の撃発後にはトリガーの回動は停止される。また、トリガーはトリガースプリングにより下方から時計回りに附勢されることにより、前記トリガーの引き重さが調整される。
【図面の簡単な説明】
【００５６】
【図１】図１は本発明のボルトアクション銃におけるボルトアッセイの実施形態を示す分解斜視図である。
【図２】図２は同じくボルトアッセイを背面側から見た分解斜視図である。
【図３】図３は同じく完成されたボルトアクション銃を示す側面図である。
【図４】図４は同じく本実施形態を構成するボルトアッセイの組付後の拡大側面図である。
【図５】図５は同じくボルトアッセイを構成するファイヤリングピンの弾薬に対するコッキング状態を示す拡大下面図である。
【図６】図６は同じく弾薬を撃射後の拡大下面図である。
【図７】図７は同じく本実施形態を構成するボルトアッセイにおいてレシーバーに対してボルトボディを第１の位置に押込んだ状態を銃口側から見た拡大端面図である。
【図８】図８は同じく本実施形態を構成するレシーバーに対してボルトボディを回動操作して係合部に係合した状態を示す拡大端面図である。
【図９】図９は同じくレシーバーとボルトボディとの係合状態を示す軸方向の拡大断面図である。
【図１０】図１０は本実施形態を構成するレシーバーを台木に組立てた状態を銃口側から見た拡大断面図である。
【図１１】図１１は同じくレシーバーを銃口側から見た拡大斜視図である。
【図１２】図１２は同じくボルトボディを背面側から銃口側に見た拡大斜視図である。
【図１３】図１３は同じくボルトアッセイの組付状態の拡大下面図である。
【図１４】図１４は同じくボルトアッセイのボルトボディからボルトハンドルシュラウドを分解する分解途中を示す拡大側面図である。
【図１５】図１５は同じくボルトアッセイのボルトボディからボルトハンドルシュラウドを分解する直前を示す拡大下面図である。
【図１６】図１６は同じくボルトアッセイのボルトボディからボルトハンドルシュラウドを分解した状態を示す拡大下面図である。
【図１７】図１７は同じくボルトアッセイのボルトボディからボルトキーを引き抜いた状態を示す拡大斜視図である。
【図１８】図１８は同じくボルトアッセイのボルトボデイからハンドル操作部を分解した状態を下面側から見た拡大分解斜視図である。
【図１９】図１９は同じく本実施形態を構成するボルトアッセイのボルトボディの後端側を下方側から見た拡大斜視図である。
【図２０】図２０は同じく僅かに回動変位した状態の側面図である。
【図２１】図２１は同じく本実施形態を構成するファイヤリングピンを示す部分切欠拡大斜視図である。
【図２２】図２２は本実施形態を構成するボルトハンドルシュラウドを前方から見た拡大斜視図である。
【図２３】図２３は同じくシャーによるボルトボディに対する係止状態を示す拡大断面図である。
【図２４】図２４は同じく本実施形態を構成するボルトボディを下面側から見た拡大斜視図である。
【図２５】図２５は同じく本実施形態を構成するレシーバーとバレルとの結合関係を示す拡大断面図である。
【図２６】図２６は同じく本発明のボルトアクション銃に適用される手動操作手段を撃射モード位置に設定した状態を示す拡大側面図である。
【図２７】図２７は同じく撃射モード位置にてシャーによりファイヤリングピンを係止している状態を示す拡大側面図である。
【図２８】図２８は同じく弾薬を撃射した状態を示す拡大側面図である。
【図２９】図２９は同じく本実施形態を構成する手動操作手段を撃射モード位置に設定した状態を上方から見た拡大斜視図である。
【図３０】図３０は同じく本実施形態を構成する手動操作手段の分解状態を示す拡大斜視図である。
【図３１】図３１は同じく説明的な拡大断面図である。
【図３２】図３２は同じく弾の撃射後を示す説明的な拡大断面図である。
【図３３】図３３は同じくレバーが前傾に位置され、ボルト解放位置に設定されている状態を示す拡大斜視図である。
【図３４】図３４は同じく拡大側面図である。
【図３５】図３５は同じくボルト解放状態を示す拡大断面図である。
【図３６】図３６は同じくレバーが後傾に位置され、シャーが拘束されて不用意な回転が阻止される安全モード位置に設定された時の拡大斜視図である。
【図３７】図３７は同じく拡大側面図である。
【図３８】図３８は同じく説明的な拡大断面図である。
【図３９】図３９は同じく弾の薬莢をボルトアッセイのエジェクターとエクストラクターとにより把持し、排出する状態を示す説明的な部分切欠き断面図である。
【発明を実施するための形態】
【００５７】
以下、図面に従って本発明を実施するための最良の形態につき、詳細に説明する。
【００５８】
本実施形態は、先端に銃口を、該銃口に連通する薬室２を後端にそれぞれ有するバレル１と、前記バレル１の後端が先端側に取付けられ、前記薬室２に通ずる貫通孔３を有するレシーバー４と、該レシーバー４の貫通孔３に後端側から挿入され、前記レシーバー４に対して押込んだ第１の位置Ｎ１と引き出した第２の位置Ｎ２との間で直線的に移動可能に且つ前記第１の位置Ｎ１において所定角度に周回りに回動可能に挿着されたボルトアッセイ５と、を備え、前記レシーバー４に対して前記ボルトアッセイ５を前記第１の位置Ｎ１まで押し込んで所定角度回転させて前記薬室２に弾薬６を装填し、該装填した弾薬６の弾６Ａを発射後、前記ボルトアッセイ５の旧位置への回動後に弾６Ａを発射後の薬莢６Ｂと共に前記第２の位置Ｎ２まで引き出して、前記弾薬６の薬莢６Ｂを外部へ排出させ、次に装填すべき弾薬６のマガジンからの供給の後、前記第２の位置Ｎ２から前記第１の位置Ｎ１にボルトアッセイ５を押し込み、前記弾薬６の前記薬室２内への装填を行った後に、前記第１の位置Ｎ１における周回りの回動により閉鎖し、撃射できる状態にするボルトアクション銃である点は従来のボルトアクション銃と同様である。
【００５９】
しかしながら、本実施形態では、図１、図２３、図３５に示すように、前記第２の位置Ｎ２のさらに後端側（銃尾側）へ前記ボルトアッセイ５が前記レシーバー４から引き出される移動を常時、規制する移動規制手段７と、前記移動規制手段７による前記ボルトアッセイ５の前記移動規制を手動操作により解除する手動操作手段８と、を備えている。
【００６０】
図７、図８、図９に示すように、前記ボルトアッセイ５を前記第１の位置Ｎ１へ押し込んで所定角度周回りに回動した状態で互いに係合し、前記ボルトアッセイ５の前記第２の位置Ｎ２への後退移動を規制する係合部９を前記ボルトアッセイ５と前記レシーバー４とにそれぞれ設けている。このように、ボルトアッセイ５とレシーバー４とにそれぞれ係合部９を設けたのは、ファイヤリングピン１０による弾薬６の撃射時に、撃発による銃尾方向への衝撃や反動をボルトアッセイ５が受けてレシーバー４から抜け出るのを防止し、安定性を確保するためである。
【００６１】
前記移動規制手段７は、図２３、図３５に示すようにシャー１３が常時ばね附勢されて前記ボルトアッセイ５が前記第２の位置Ｎ２に引き出された状態で前記ボルトアッセイ５の一部と係合され、図２６乃至図３５に示すような前記手動操作手段８の操作により、前記ばね附勢に抗して移動されて前記ボルトアッセイ５の一部との係合が解除される係止部材１１を有する。
【００６２】
前記手動操作手段８は、手動により前記係止部材１１の前記ボルトアッセイ５の一部との係止を解除するボルト解放位置Ｆ（例えば図３３乃至図３５参照）のほかに、前記薬室２内に装填された前記弾薬６を撃射させるトリガー１２の牽引操作を可能とする撃射モード位置Ｎ（例えば図２６乃至図３２参照）と、前記トリガー１２は牽引可能に設けられるが、シャー１３を拘束して弾薬６の撃射を不能とする安全モード位置Ｂ（例えば図３６乃至図３８参照）と、に弾性保持され、多用途性と、操作の確実性とを確保するようになっている。
【００６３】
また、前記手動操作手段８は、前記ボルト解放位置Ｆのほかに、前記撃射モード位置Ｎと、前記安全モード位置Ｂと、に弾性保持される保持部１４を有することにより操作の確実性を確保し、信頼性を得るようになっている（図３０参照）。
【００６４】
前記係止部材１１が、トリガー１２の牽引によりファイヤリングピン１０を動作させて弾薬６の撃射を行うために、前記トリガー１２に連繋して配設したシャー１３に設けられた係止突起１３ａにより構成され、該係止突起１３ａが前記ボルトアッセイ５を前記第２の位置Ｎ２から後方側に移動させる引き抜き時に、係止可能に前記ボルトアッセイ５の略筒状のボルトボディ１５の外周に径方向に窪ませた係止面１６に係止可能に設けられ、前記係止突起１３ａは、前記ボルトアッセイ５が前記第１の位置Ｎ１に押し込み操作されて周回りに所定角度回動されると、シャー１３に設けられた係止突起１３ａは、前記ファイリングピン１０の後端外周に設けられた突起１０Ａに係合し、該ファイリングピン１０を弾薬６の撃射に備えてコック状態に保持するようになっている（図４、図５参照）。図示する実施形態では、前記ボルトアッセイ５が前記レシーバー４から引き出される移動を常時、規制するための移動規制手段７として、前記係止突起１３ａが係止可能になるようにボルトボディ１５の外周に設けられた前記係止面１６は、図２３、図３５に示すように、その内断面において、一端側を径方向に窪ませて形成され、軸方向Ｘの他端側には傾斜面が形成されているが、シャー１３に設けられた係止突起１３ａが係脱可能な手段としては図示するものは代表的な例示であり、これに限られない。
【００６５】
前記手動操作手段８が、本実施形態では例えば図２６乃至図３５に示すようにレバー式が代表的に示され、前記レシ−バー４の後部一側に起倒可能に設けられた操作レバー１７と、該操作レバー１７を回動可能に枢支する断面三日月状の枢軸部１８と、その前方上部に前記係止突起１３ａを有するとともに、後部上側に第１係止部１９と後部下側には第２係止部２０とをそれぞれ有して、前記第１係止部１９と前記第２係止部２０との間には前記枢軸部１８が係止可能になるか、または回転可能になる円弧状空間部２１とが、それぞれ設けられた前記シャー１３と、該シャー１３が係脱可能に設けられた前記トリガー１２と、により構成される。１３ｂはシャー１３の先端下面に設けられた係止鉤であり、この係止鉤１３ｂはトリガー１２の先端上面に設けられた係止凹部１２ａに係脱可能に設けられる。１２ｂはシャー１３に押圧力を伝達するためにトリガー１２の上部後面に設けられた押圧突起である。Ｊ１はシャー１３の回動軸であり、Ｊ２はトリガー１２の回動軸である。
【００６６】
そして、前記操作レバー１７を前傾に位置する時には、前記枢軸部１８が前記シャー１３の前記第１係止部１９に係合し、押上げることにより、前記シャー１３は先端側に回動可能に設けられてボルトアッセイ５の前記移動規制手段７による前記レシーバー４からの引き抜き移動の規制を解除するボルト解放位置Ｆを設定するほか、または、前記操作レバー１７を中立に位置する時には、前記シャー１３の後部に設けた前記円弧状空間部２１内に前記操作レバー１７の前記枢軸部１８が回動操作可能に設けられることにより前記トリガー１２は牽引されて弾薬６の撃射モード位置Ｎが設定される。また、前記操作レバー１７を後傾に位置する時には、前記枢軸部１８が前記シャー１３の後部下側に設けられた前記第２係止部２０に係合されて前記シャー１３を拘束して回転を不能となすとともに、前記トリガー１２は牽引可能に設けられるが、弾６Ａの撃射を不能とする安全モード位置Ｂを設定可能となす。
【００６７】
前記手動操作手段８の操作レバー１７は、前記保持部１４が、前記枢軸部１８により軸着される基部１７ａの上方肩部に連続して設けられる第１係合凹部２２Ａ、第２係合凹部２２Ｂ、および、係止斜面部２２Ｃと、側面略Ｕ字状をなして前記上方肩部に弾性的に滑動可能に設けられる滑動ばね足２３ａを一端に有する弾性部材としての松葉ばね２３とにより構成され、前記滑動ばね足２３ａが、前記操作レバー１７の中立時には、前記第１係合凹部２２Ａに落ち込み可能に設けられ、また、前記操作レバー１７の前傾時には、前記第２係合凹部２２Ｂに落ち込み可能に設けられ、そして、前記操作レバー１７の後傾時には、前記係止斜面部２２Ｃに乗上げ可能に設けられていることにより、前記操作レバー１７が節度的にかつ選択的に起倒可能に設けられている。
【００６８】
前記係合部９が、薬室２に通ずる貫通孔３を有するレシーバー４と、前記貫通孔３に後端側から挿入され、前記レシーバー４に対して押込んだ第１の位置Ｎ１と引き出した第２の位置Ｎ２との間で直線的に移動可能に且つ前記第１の位置Ｎ１において所定角度に周回りに回動可能に挿着されるボルトアッセイ５とを備えている。そして、前記ボルトアッセイ５は例えば図７乃至図９に示すように、前記第１の位置Ｎ１に押し込まれてハンドル２８により周回りに所定角度回動された時には第２の位置Ｎ２への後退側へばね附勢可能に設けられ、前記ボルトアッセイ５のボルトボディ１５の前方外周に中心Ｏ周回りに１２０度毎に突設されたロッキングラグ２４と、前記レシーバー４の前記貫通孔３の内周に前記ボルトボディ１５の可動範囲にわたり軸方向Ｘに摺動可能に前記ロッキングラグ２４に対応して凹設されたレール溝２５と、前記貫通孔３の前端に、前記レール溝２５の設置個所以外の残肉部を、前記ボルトボディ１５が前記第１の位置Ｎ１に押し込まれて回動操作された時に、前記ロッキングラグ２４が後退側への前記ばね附勢により押付可能にかつ係脱可能に設けられた係合壁部２６と、により構成されている。
【００６９】
前記ボルトアッセイ５が、例えば図１、図２、図２２に示すように略筒状の前記ボルトボディ１５と、前記ボルトボディ１５内に先端側に突出可能に配挿されるファイヤリングピン１０と、前記ボルトボディ１５内に配挿されて前記ファイヤリングピン１０を先端側にばね附勢するファイヤリングピンスプリング２７と、ハンドル２８を外周に有し、前記ボルトボディ１５の後端に取付けられるハンドル操作部材２９と、により構成され、前記ボルトボディ１５と前記ハンドル操作部材２９とは固定手段３０を介して着脱可能に取付けられる。そして、ボルトアッセイ５は全体形状が略棒状に組付けられる。
【００７０】
そして、前記ハンドル操作部材２９が、その前方に前記ファイヤリングピンスプリング２７が外挿される前方小径部３１Ｂを有し、外周中程に突起３１Ａを設け、後端には係止鍔３１Ｄを介して係入部３１Ｃが設けられたボルトキー３１と、前記ハンドル２８が外装された略筒形をなす基体部３２Ａの内周に前記ボルトボディ１５の後端部に着脱可能に取付けられる前記固定手段３０を有し、前記ボルトキー３１の前記係入部３１Ｃが係脱可能に取付けられる係合穴３２Ｂを対応位置に設けたボルトハンドルシュラウド３２と、により構成され、前記ボルトキー３１の前記係入部３１Ｃを前記係合穴３２Ｂに係入することにより前記ボルトハンドルシュラウド３２と前記ボルトキー３１とを一体化するとともに、前記ボルトボディ１５と前記ボルトハンドルシュラウド３２とを前記ボルトキー３１を介して着脱可能に取付けるように構成されている。
【００７１】
なお、前記ボルトキー３１の前記係入部３１Ｃと、この係入部３１Ｃが係脱可能に設けられるボルトハンドルシュラウド３２の前記係合穴３２Ｂとは、それぞれ正面略三角形に形成されているが、これに限らず、前記係入部３１Ｃ、および前記係合穴３２Ｂは、正面略四角形、菱形、五角形、六角形等の多角形に形成されたものでもよく、要はボルトキー３１と、ボルトハンドルシュラウド３２とが、相対的に回動操作されることなく、前記係合穴３２Ｂに対する前記係入部３１Ｃの係脱操作を簡便に行うことができるものであれば良い。
【００７２】
前記ボルトボディ１５が、図１、図２、および図４乃至図６、図１３乃至図１７、図１９乃至図２１に示すように、ファイヤリングピンスプリング２７の附勢力を先端側に受ける前記ファイヤリングピン１０の後端に設けた突起１０Ａを、組付け時には軸方向Ｘに進退可能に挿入させるように後端から軸方向Ｘに向けて設けられ先端に前記突起１０Ａの前進を規制可能になる突起係入凹部３４ａを有する開口溝３４と、前記突起係入凹部３４ａの近傍の周面には、使用時に前記ハンドル２８によるボルトアッセイ５の第１の位置Ｎ１への押し込み、および回動操作によりシャー１３に設けられた係止突起１３ａに係脱可能になり、前記ファイヤリングピンスプリング２７を圧縮しつつ前記ファイヤリングピン１０を弾薬６の撃射に備えてコック状態にさせる、前記開口溝３４から軸方向Ｘに連続して分岐されたカム溝３５と、が連設されている。
【００７３】
また、前記ボルトボディ１５が、前記開口溝３４の途中に周方向に交わるように設けられた円周溝３６と、該円周溝３６の頭上部に軸方向Ｘに設けられたボルトキー取付溝３７と、が形成され、前記ボルトキー３１の中程周面に設けられた突起３１Ａを前記ボルトボディ１５と前記ボルトキー３１との結合時に、前記ボルトキー取付溝３７に前記ファイヤリングピンスプリング２７の後端側への附勢力に抗して係止させて前記ボルトボディ１５と前記ボルトキー３１との結合を行う。
【００７４】
前記固定手段３０が、図４および図２２に示すように、前記ボルトボディ１５の前記円周溝３６の外周近傍に設けられた複数個の保持用突起３８と、前記保持用突起３８を嵌脱可能に嵌入するためにボルトハンドルシュラウド３２の前記基体部３２Ａの開口端に設けられた着脱用切欠部３９と、前記着脱用切欠部３９の内周面の奥に周方向に連設された環状溝４０と、により構成されている。
【００７５】
前記ファイヤリングピン１０が、図２１に示すように弾薬６の雷管を打撃可能に設けられた小径の前方部１０Ｂと、前記ファイヤリングピンスプリング２７が内挿されてその附勢力を受ける大径の後方部１０Ｃと、から構成され、前記前方部１０Ｂと前記後方部１０Ｃとはねじ止め、およびピン止めにより着脱自在に一体に固定されている。このように、前方部１０Ｂと後方部１０Ｃとをねじ止め、またはピンＰを用いたピン止めにより着脱自在に一体に固定するようにしたのは、弾薬６を撃射することにより摩耗や損傷が著しいファイヤリングピン１０の小径の前方部１０Ｂを大径の後方部１０Ｃから分離して新しいものと交換するためである。
【００７６】
前記レール溝２５が、図７、図８、図１０、図１１に示すように、前記レシーバー４の貫通孔３の軸芯Ｏに対し、その１つの前記レール溝２５の溝幅Ｗの中心は前記レシーバー４の上端位置に設置され、他の２つの前記レール溝２５,２５の溝幅Ｗ、Ｗの中心は、前記上端位置に設置される前記レール溝２５の前記溝幅Ｗの中心から夫々１２０度に配置されている。このように、１つの前記レール溝２５の溝幅Ｗの中心を前記レシーバー４の上端位置に設置し、他の２つの前記レール溝２５,２５の溝幅Ｗ、Ｗの中心を、前記上端位置に設置される前記レール溝２５の前記溝幅Ｗの中心から夫々１２０度に配置するようにしたのは、レシーバー４を第１の位置Ｎ１へ押し込んだり、または、第２の位置Ｎ２へ引抜くという、直線的な移動を行う場合に、レシーバー４には、弾薬６が収納されているマガジンを装着するための装着口４ａを下面に有し、一側には弾薬６を撃射後の薬莢６Ｂを排出するための窓孔４ｂが開設されているとしても、レシーバー４の貫通孔３の内周に設置された１の前記レール溝２５の溝幅Ｗの中心は前記レシーバー４の上端位置に設置され、他の２つの前記レール溝２５,２５の溝幅Ｗ、Ｗの中心は、前記上端位置に設置された前記レール溝２５の前記溝幅Ｗの中心から夫々１２０度に等角度θに配置されたレール溝２５,２５,２５によりボルトアッセイ５は案内されるため、ボルトアッセイ５の第１の位置Ｎ１への押し込み、または、第２の位置Ｎ２への引抜きという、直線的な移動を行う場合に、ガタツキなく、円滑かつ確実に行うためである。
【００７７】
前記ロッキングラグ２４が、図１０、図１１、図１２に示すように、軸方向Ｘにボルトボディ１５の外周面に到らない深さｈの案内溝２４Ａを有する全体形状を断面台形に形成され、前記レール溝２５は、全体形状を前記ロッキングラグ２４よりも僅かに形大の断面台形に設けられるとともに、その内周には前記案内溝２４Ａに摺動可能な突条部２５Ａが設けられている。
【００７８】
図２５において４１は前記レシーバー４と前記バレル１とを軸方向Ｘに結合するための結合手段であり、この結合手段４１は、雌ねじ４２と、該雌ねじ４２に螺合される雄ねじ４３と、よりなり、前記雄ねじ４３の終端に前記バレル１、もしくは、前記レシーバー４の軸芯Ｏ,Ｏ′、または、前記バレル１、および、前記レシーバー４の軸芯Ｏ,Ｏ′に対して鋭角度θ１の傾斜面４４を有する円錐形のねじ締め付け止まり面４５が設けられ、前記ねじ締め付け止まり面４５が挿脱可能になる対応形状のねじ締め付け受け面４６が前記レシーバー４、または前記バレル１の対応位置に凹設されていることにより、バレル１とレシーバー４とを軸芯Ｏ、Ｏ′を一致し、密に精度良く、一体に簡単に取付けられるようになる。
【００７９】
４７は漏洩ガス排出孔であり、この漏洩ガス排出孔４７は、前記バレル１内に設けられた薬室２の後端凹部２ａに、前記レシーバー４内に挿脱可能に配挿される前記ボルトボディ１５の前端部１５ａを挿入し、前記前端部１５ａの後方位置に、ファイヤリングピン収容孔４８と、前記ボルトボディ１５の外部とを連通するように設けられることにより、ファイヤリングピン１０により弾薬６を撃射した時に生ずる爆発ガスはファイヤリングピン収容孔４８から漏洩ガス排出孔４７を通じてボルトボディ１５の外部に円滑かつ迅速に排出される。
【００８０】
４９はトリガー位置調整ねじであり、このトリガー位置調整ねじ４９は前記トリガー１２を時計回りに附勢し、弾６Ａの撃発後に前記トリガー１２の回動を停止するためのものである。また、５０はトリガースプリングであり、このトリガースプリング５０は前記トリガー１２を下方から時計回りに附勢することにより、前記トリガー１２の引き重さを調整するためのものである。５１は常時シャー１３を時計回りに附勢するためのシャースプリングである。
【００８１】
なお、図３９において、６０はボルトボディ１５の前端部１５ａに略軸方向Ｘに設けた孔６１内に内挿したスプリングｓ１の付勢力によりボルトボデイ１５の前端部１５ａに突出するエジェクターであり、このエジェクター６０は薬莢６Ｂの後面を押圧するためのものであり、また、６２はボルトボデイ１５の外周に凹設けた外周凹部６３内に半径方向Ｒに配したスプリングｓ２の付勢力を後端側に受け、枢軸部６４を介して先端側の爪部６２ａがボルトボディ１５の中心側に伏動するためのエクストラクターであり、このエクストラクター６２は前記爪部６２ａが薬莢６Ｂの後部に設けられた周溝６Ｂ1内に係脱可能に係止されることにより、薬莢６Ｂを把持するようになっている。
【００８２】
本実施形態のボルトアクション銃は以上のように、前記第２の位置Ｎ２のさらに後端側（銃尾側）へ前記ボルトアッセイ５が前記レシーバー４から引き出される移動を常時、規制する移動規制手段７と、前記移動規制手段７による前記ボルトアッセイ５の前記移動規制を手動操作により解除する手動操作手段８と、を備えているので、例えば銃を山野のような戸外に持ち出してレシーバー４内に砂や塵が入り、ボルトアッセイ５の第１の位置Ｎ１への押し込み操作や第１の位置Ｎ１から第２の位置Ｎ２へ引き出すという直線的な移動を行ったり、または、第１の位置Ｎ１および第２の位置Ｎ２においてハンドル２８を操作してボルトアッセイ５の回動操作を行うのに支障を来す場合に、第２の位置Ｎ２のさらに後端側へボルトアッセイ５がレシーバー４から引き出される移動を常時、規制している移動規制手段７による移動規制を、手動操作手段８を手動操作するという簡単な取扱操作により解除することができる。
【００８３】
すなわち、本実施形態では、図２３に示すように、ボルトアッセイ５が、ハンドル操作部材２９のハンドル２８を第１の位置Ｎ１から第２の位置Ｎ２に引き出された状態でボルトアッセイ５の一部、具体的には、ボルトアッセイ５の略筒状のボルトボディ１５の外周に径方向に窪ませた係止面１６に、トリガー１２に連繋するシャー１３に設けた係止突起１３ａが係止されているという移動規制を解除するのには、ボルトハンドル２８を第１の位置Ｎ１の近傍に位置させ、手動操作手段８としての操作レバー１７を図３３乃至図３５に示すように、前傾に位置させると、操作レバー１７の枢軸部１８がトリガーメカニズムを構成する前記シャー１３の第１係止部１９を押上げるので、シャー１３は先端側が回動されて伏動されることにより、ボルトボディ１５の係止面１６に対する係止突起１３ａの係止が解除され、移動規制手段７によるボルトアッセイ５のレシーバー４の貫通孔３からの引き抜き移動の規制は解除され、ボルト解放位置Ｆが設定される。
【００８４】
そして、レシーバー４の貫通孔３からボルトアッセイ５を第２の位置Ｎ２の後退側へ引き抜くことができ、工具、例えば、プライヤー、レンチ、ピット、ドライバー、ハンマーを用いることなく、レシーバー４からボルトアッセイ５を容易かつ確実に分解することができ、レシーバー４内に入った砂や塵を除いて掃除することができる。こうして、ボルトアッセイ５を第１の位置Ｎ１へ押し込み操作したり、もしくは、第１の位置Ｎ１から第２の位置Ｎ２へ引き出すという直線的な移動を行ったり、または、第１の位置Ｎ１において、ハンドル２８を操作してボルトアッセイ５を周回りに回動操作するのを簡単かつ確実に行うことができる。
【００８５】
この時、レシーバー４の貫通孔３の内周には、例えば図７、図１０、図１１に示すように、１つのレール溝２５の溝幅Ｗの中心をレシーバー４の上端位置に設置し、他の２つの前記レール溝２５,２５の溝幅Ｗ、Ｗの中心を、上端位置に設置される前記レール溝２５の前記溝幅Ｗの中心から夫々１２０度に配置するように設けているので、ボルトアッセイ５を第１の位置Ｎ１から第２の位置Ｎ２への後退側へと引抜くという、直線的な移動を行う場合に、レール溝２５,２５,２５によりボルトアッセイ５は案内され、ガタツキなく、円滑かつ確実にボルトアッセイ５を引き抜くことができる。
【００８６】
しかも、図７、図１２に示すようにボルトアッセイ５のボルトボディ１５の前方外周に中心周回りに１２０度毎に突設されたロッキングラグ２４,２４,２４は、その全体形状が断面台形に突設され、また、このロッキングラグ２４,２４,２４が摺動可能に挿入されるレール溝２５,２５,２５は、全体形状を前記ロッキングラグ２４,２４,２４よりも僅かに形大の断面台形に形成されることによりレシーバー４の内周に設けられたレール溝２５,２５,２５によりロッキングラグ２４,２４,２４は案内されるのと、前記ロッキングラグ２４,２４,２４に設けられた案内溝２４Ａ, ２４Ａ, ２４Ａ内には、レシーバー４の前記レール溝２５,２５,２５に設けられた突条部２５Ａ, ２５Ａ, ２５Ａが、ロッキングラグ２４,２４,２４に設けられた案内溝２４Ａ, ２４Ａ, ２４Ａにより、摺動可能に案内されるのとの二重に案内されることからボルトアッセイ５を第１の位置Ｎ１から第２の位置Ｎ２へ引抜きや第２の位置Ｎ２から第１の位置Ｎ１への押込むという、直線的な移動は、ガタツキなく、円滑かつ確実に、しかも安定に行われる。このようにして、移動規制手段７によるボルトアッセイ５に対する移動規制が解除された後にレシーバー４からボルトアッセイ５が引き抜かれ、レシーバー４内に入った砂や埃が掃除される。  
【００８７】
また、前述のように、操作レバー１７を前傾に位置させると、弾性部材としての松葉ばね２３の一端に有する滑動ばね足２３ａが、操作レバー１７の基部１７ａの上方肩部に設けられる第２係合凹部２２Ｂ内に落ち込むことにより、操作レバー１７はボルト解放位置Ｆに適正に位置され、松葉ばね２３の弾性力により確実に弾性保持され、操作の信頼度が確保される。
【００８８】
また、掃除後にレシーバー４内にボルトアッセイ５を組付けるのには、ハンドル操作部材２９のハンドル２８を所定角度上方に周回りに回動した状態で、レシーバー４に設けた貫通孔３内に後端側からボルトアッセイ５を第２の位置Ｎ２を経て先端側に挿入すると、ボルトアッセイ５のボルトボディ１５の外周に径方向に窪ませた係止面１６に、シャースプリング５１により図２３において時計方向に付勢されたシャー１３に設けられている係止突起１３ａが係止されるので、ボルトアッセイ５に対する移動規制手段７の移動規制が行われ、組付けが終える。このため、ボルトアッセイ５に対して移動規制手段７により、レシーバー４の貫通孔３からボルトアッセイ５を第２の位置Ｎ２から後方側へ不用意に抜け出るのが防止される。
【００８９】
そして、バレル１の後端部内に設けた薬室２内に弾薬６を装填するには、ハンドル操作部材２９を操作してレシーバー４に対して前記ボルトアッセイ５を前記第１の位置Ｎ１まで直線的に押し込んで行くと、レシーバー４の下面に設けられた装着口４ａに装着されるマガジンに内装されているばね材の上方への附勢力により弾薬６はレシーバー４内に供給され、ボルトアッセイ５の前端面により第１の位置Ｎ１まで押し込まれ、ハンドル操作部材２９を周回りに所定角度回動操作させることにより、弾薬６は前記薬室２内に装填されて、閉鎖され、安定性が確保される。なお、図３９には示すように、弾薬６はボルトボディ１５の前端部１５ａに略軸方向Ｘに設けた孔６１内に内挿したスプリングｓ１の付勢力によりボルトボデイ１５の前端部１５ａに突出するエジェクター６０により後面を押圧されるのと、ボルトボデイ１５の外周に凹設けた外周凹部６３内に半径方向Ｒに配したスプリングｓ２の付勢力を後端側に受け、枢軸部６４を介して先端側の爪部６２ａがボルトボディ１５の中心側に伏動するエクストラクター６２の前記爪部６２ａが薬莢６Ｂの後部に設けられた周溝６Ｂ1内に係脱可能に係止されることにより、把持可能になっている。
【００９０】
この時、弾薬６の撃射を行うのには、図２６乃至図３２に示すように、手動操作手段８としての操作レバー１７を中立に操作することにより、弾性部材としての松葉ばね２３の滑動ばね足２３ａを操作レバー１７の基部１７ａの上方肩部に弾力的に滑動させ、この上方肩部に連続して設けられている第１係合凹部２２Ａ内に弾力的に落ち込ませ、弾性保持させることにより撃射モード位置Ｎに位置させると、シャー１３の後部に設けた円弧状空間部２１内に操作レバー１７の断面三日月状の枢軸部１８が回動操作可能に設けられるので、トリガー１２の牽引によるトリガー１２の押圧突起１２ｂによる押し上げによりシャー１３は回動軸Ｊ１を中心に回動されて先端側に伏動可能になり、ファイヤリングピンスプリング２７の附勢力を先端側に受けているファイヤリングピン１０は、シャー１３の係止突起１３ａから突起１０Ａの係止が解かれるため、ボルトボディ１５の先端から勢い良く突出し、薬室２内に装填している弾薬６を撃射可能な状態としておく。
【００９１】
前述のように、ハンドル操作部材２９を操作してレシーバー４に対して前記ボルトアッセイ５を第１の位置Ｎ１において、周回りに所定角度回転すると、前述のように、ボルトアッセイ５により薬室２内への弾薬６の装填、閉鎖が行われるが、この時、ファイヤリングピンスプリング２７の附勢力により先端側（銃口側）に附勢されているファイヤリングピン１０の外周後端に設けられている突起１０Ａは、ボルトボディ１５の外周に、後端から軸方向Ｘに設けた開口溝３４の先端の突起係入凹部３４ａの近傍の外周面に連続して分岐されたカム溝３５内の後端においてファイリングピンスプリング２７が附勢力に抗して僅かに縮小されて図５に示すようにコック状態になり、シャー１３の係止突起１３ａと係合する（図４、図２７参照）。
【００９２】
しかも、図８に示すように前述のようにハンドル操作部材２９を操作してレシーバー４に対して前記ボルトアッセイ５を第１の位置Ｎ１において、周回りに所定角度回転すると、係合部９としてボルトアッセイ５のボルトボディ１５の前方外周に中心周回りに１２０度毎に突設されたロッキングラグ２４と、レシーバー４の貫通孔３の前端に、レール溝２５の設置個所以外の残肉部を係合壁部２６として構成しているので、ボルトボディ１５がレシーバー４内を前記第１の位置Ｎ１に押し込まれて回動操作された時に、前端外周に設けられたロッキングラグ２４が前記係合壁部２６に後退側へ前記ばね附勢により押付可能にかつ係脱可能に設けられ、弾薬６の撃射に備える。
【００９３】
そして、トリガー１２を牽引すると、図２８に示すように、トリガー１２の押圧突起１２ｂによる押し上げによりシャー１３は回動軸Ｊ２を中心に回動されて先端側に伏動されるので、ファイヤリングピンスプリング２７の附勢力を先端側に受けているファイヤリングピン１０は、シャー１３の係止突起１３ａから突起１０Ａの係止が解かれるため、ファイヤリングピン１０は、ファイヤリングピンスプリング２７の附勢力によりボルトボディ１５の先端から突出し、薬室２内に装填されている弾薬６を撃射する。
【００９４】
この時、前述のようにハンドル操作部材２９を操作してレシーバー４に対して前記ボルトアッセイ５を第１の位置Ｎ１において、所定角度回転すると、図８、図９において、係合部９としてボルトアッセイ５のボルトボディ１５の前方外周に中心周回りに１２０度毎に突設されたロッキングラグ２４は、レシーバー４の貫通孔３の前端に、レール溝２５の設置個所以外の残肉部に構成した係合壁部２６に係止され、ファイヤリングピンスプリング２７の後退側への附勢力により押し付けられているので、ボルトアッセイ５はファイヤリングピン１０による弾薬６の撃射により生ずる衝撃や反動を受けてレシーバー４の貫通孔３から不用意に抜け出すのを防止できる。
【００９５】
また、前記バレル１内に設けられた薬室２の後端凹部２ａに、前記レシーバー４内に挿脱可能に配挿されるボルトボディ１５の前端部１５ａを挿入し、前記前端部１５ａの後方位置には、ファイヤリングピン収容孔４８と、ボルトボディ１５の外部とを連通する半径方向下面に伸びた漏洩ガス排出孔４７が設けられているので、ファイヤリングピン１０により弾薬６を撃射した爆発ガスはファイヤリングピン収容孔４８から漏洩ガス排出孔４７を通じてボルトボディ１５の外部に速やかに排出される。このため、ファイヤリングピン１０の外周と、ファイヤリングピン収容孔４８の内周との間から、ボルトアッセイ５の内部に撃射時の高圧ガスが流入されることによるファイヤリングピン１０に対する衝撃的な押し返しがなく、ファイヤリングピン１０がボルトアッセイ５に衝突されることにより生ずる破損がなく、さらには漏洩ガスが射手の顔面に噴出することはない。
【００９６】
そして、装填した弾薬６の弾６Ａを発射後は、ファイヤリングピンスプリング２７の附勢力によりボルトボディ１５内を前方へ移動したファイヤリングピン１０に対してハンドル操作部材２９を操作してボルトアッセイ５を旧方向へ回動して行くと、ボルトボディ１５のカム溝３５のカム面３５Ａに倣ってファイヤリングピン１０に設けた突起１０Ａは後方へと案内移動されるので、カム溝３５内において、ファイリングピンスプリング２７を附勢力に抗して縮小させて僅かに突起１０Ａを介してファイヤリングピン１０は後退され、突起１０Ａは再度シャー１３の係止突起１３ａと係合し、ファイリングピン１０は先端部がボルトボディ１５内に収納されてコック状態になり、弾薬６の撃射位置に復帰する。
【００９７】
その後、ハンドル２８を操作することにより、旧方向に所定角度回転されたボルトボディ１５は、その前端部１５ａに設けられた凹部１５ｂ内に保持された撃射後の空の薬莢６Ｂと共にレシーバー４の貫通孔３内を第１の位置から前記第２の位置Ｎ２まで直線的に移動される。この間、次に装填すべき弾薬６が図示しないマガジンからばね附勢によって下方からレシーバー４内に供給されることにより、前記弾薬６の薬莢６Ｂをレシーバー４の一側に設けた窓孔４ｂから押出して排出させる。
【００９８】
なお、図３９には示すように、弾６Ａが発射された後の薬莢６Ｂは、ボルトボディ１５の前端部１５ａに略軸方向Ｘに設けた孔６１に内挿したスプリングｓ１の付勢力を受けてボルトボデイ１５の前端部１５ａに突出するエジェクター６０により後面が押圧されるのと、ボルトボデイ１５の外周に凹設した外周凹部６３内に半径方向Ｒに配したスプリングｓ２の付勢力を、その後端側に受け、枢軸部６４を介して先端側の爪部６２ａがボルトボディ１５の中心側に伏動するエクストラクター６２の前記爪部６２ａが薬莢６Ｂの後部に設けられた周溝６Ｂ1内に係脱可能に係止されることにより、把持可能になっているので、薬莢６Ｂは、その先端部がレシーバー４の内壁に当接することによりスプリングｓ１をその付勢力に抗して押し込み、縮小化させてエジェクター６０により後端部が押圧されるのと、スプリングｓ２の付勢力によりエクストラクター６２の爪部６２ａが周溝６Ｂ1内に係止された状態で、その姿勢がレシーバー４内において軸方向Ｘに保たれてボルトボディ１５とともにレシーバー４内を直線的に移動し、そして、レシーバー４の窓孔４ｂに位置して外側からの押圧が解放状態になると、前記エジェクター６０のスプリングｓ１の付勢力により外側へ偏騎されるため、エクストラクター６２の前記爪部６２ａが前記周溝６Ｂ1から脱係され、窓孔４ｂからの薬莢６Ｂの排出作業が円滑に行われる。
【００９９】
そして、再び、前記第２の位置Ｎ２から前記第１の位置Ｎ１に前記ボルトアッセイ５を直線的に移動させ、その後、前記第１の位置Ｎ１におけるボルトアッセイ５を周回りに回動することにより、前記弾薬６の前記薬室２内への装填と閉鎖を行うことになる。
【０１００】
また、図３６乃至図３８に示すように、手動操作手段８としての操作レバー１７は、後傾に操作されることにより、松葉ばね２３の滑動ばね足２３ａを操作レバー１７の基部１７ａの上方肩部に弾力的に滑動させ、この上方肩部に設けられている係止斜面部２２Ｃに乗り上げさせることにより安全モード位置Ｂに位置させると、断面三日月状の前記枢軸部１８が前記シャー１３の後部下側に設けられた第２係止部２０に係合されてシャー１３を拘束するので、トリガー１２を引くことによりトリガー１２は牽引可能に設けられるが、トリガー１２だけが空転してシャー１３は回転せず、結局その係止突起１３ａにファイヤリングピン１０の突起１０Ａが係止されたままになり、ファイヤリングピン１０により弾薬６の射撃はなく、弾６Ａの撃射を不能となすこともでき、安全である。
【０１０１】
このように、手動操作手段としての操作レバー１７を、手動により前傾してボルト解放位置Ｆのほか、中立にして弾薬６の撃射モード位置Ｎ、また、後傾して安全モード位置Ｂに、枢軸部１８により軸着される基部１７ａの上方肩部に連続して設けられる保持部１４としての第１係合凹部２２Ａ、第２係合凹部２２Ｂ、および、係止斜面部２２Ｃに弾性部材としての側面略Ｕ字状の松葉ばね２３の一端に有する滑動ばね足２３ａを弾力的に滑動させて落ち込ませるか、または乗り上げるようにしたので、操作レバー１７を節度的に且つ弾力的に保持でき、動作を確実にすることができ、安全性が確保され、銃の信頼度は高くなる。
【０１０２】
こうして、ハンドル操作によるレシーバー４内でのボルトアッセイ５の第１の位置Ｎ１への押し込み、しかも、押し込み後のボルトアッセイ５の第１の位置への押し込みによる薬室２への弾薬６の装填、押し込み後のボルトアッセイ５の回動による閉鎖、弾薬の撃射、回動操作、そして第１の位置から第２の位置への抜き出しによる薬莢６Ｂの排出、装填すべき弾薬６の供給、の一連のボルトアクションを円滑かつ確実に行うことができる。
【０１０３】
そして、手動操作手段８を手動操作するという簡単な取扱操作によりボルトアッセイ５の第２の位置Ｎ２の後方側への移動規制手段７による移動規制を解除して工具を用いずにレシーバー４からボルトアッセイ５を容易かつ確実に分解することができるので、例えば弾薬６を撃射することにより損傷し易いファイヤリングピン１０や伸縮動作により疲労を生じ易いファイヤリングピンスプリング２７の交換を容易に行うことができ、保守・管理にも優れる。
【０１０４】
さらに、本実施形態では、レシーバー４とバレル１とは、雌ねじ４２と、該雌ねじ４２に螺合される雄ねじ４３と、よりなる結合手段４１が、図示ではレシーバー４には雌ねじ４２が、またバレル１には雄ねじ４３がそれぞれ設けられ、しかも、前記雄ねじ４３の終端に前記バレル１、もしくは、前記レシーバー４の軸芯Ｏ,Ｏ′、または、前記バレル１、および、前記レシーバー４の軸芯Ｏ,Ｏ′に対して鋭角度θ１の傾斜面４４を有する円錐形のねじ締め付け止まり面４５が設けられ、前記ねじ締め付け止まり面４５が挿脱可能になる対応形状のねじ締め付け受け面４６が前記レシーバー４、または前記バレル１の対応位置に凹設されているので、レシーバー４とバレル１とが、雌ねじ４２と、該雌ねじ４２に螺合される雄ねじ４３と、よりなる結合手段４１により軸方向Ｘに結合されることにより、バレル１とレシーバー４とは軸芯Ｏ,Ｏ′が相互に一致する。このため、銃の完成時に、レシーバー４内に挿入されるボルトアッセイ５とバレル１内に形成される薬室２との間に芯ずれを生ずることなく、ファイヤリングピン１０と雷管とが偏芯することによる弾薬６の不発は一掃され、弾６Ａの命中精度を高くでき、製品の信頼性が確保される。
【０１０５】
さらに、図示する本実施形態では、例えば銃を山野のような戸外に持ち出すことにより上記説明のように、レシーバー４内に砂や塵が入った場合に、レシーバー４と、ボルトアッセイ５とを分解し、レシーバー４内の掃除を行うのにとどまらず、レシーバー４内に直線的に移動可能に、且つ回動可能に設けられたボルトアッセイ５自体の内部、また、ボルトボディ１５と、ハンドル２８を有するハンドル操作部材２９との内部にそれぞれ砂や塵が入った場合に、ボルトアッセイ５をレシーバー４に対して第１の位置Ｎ１へ押し込んだり、もしくは、第１の位置Ｎ１から第２の位置Ｎ２へ抜き出すという直線的な移動を行ったり、または、ボルトアッセイ５を第１の位置Ｎ１において周回りに回動操作を行うのに支障を来たしたり、または、銃の動きに支障を来す場合に、ボルトアッセイ５のボルトボディ１５と、ハンドル操作部材２９、また、ボルトアッセイ５自体、ハンドル操作部材２９自体を細分化することができ、以下のように、工具、例えば、プライヤー、レンチ、ピット、ドライバー、ハンマーを必要とせずに、分解したり、組付けることにより、掃除を行うことができる。
【０１０６】
すなわち、図示する本実施形態では、前記説明の操作により、移動規制手段７による移動規制を、手動操作手段８を手動操作することにより解除した後に、レシーバー４からボルトアッセイ５を第２の位置Ｎ２の後退側に引き抜いて分解を行う点は前記説明と同様であるが、前記ボルトアッセイ５が、略筒状の前記ボルトボディ１５と、前記ボルトボディ１５内に先端側に突出可能に配挿されるファイヤリングピン１０と、前記ボルトボディ１５内に配挿されて前記ファイヤリングピン１０を先端側にばね附勢するファイヤリングピンスプリング２７と、ハンドル２８を外周に有し、前記ボルトボディ１５の後端に取付けられるハンドル操作部材２９と、により構成され、前記ボルトボディ１５と前記ハンドル操作部材２９とは固定手段３０を介して着脱可能に取付けられる。
【０１０７】
また、前記ハンドル操作部材２９が、その前方に前記ファイヤリングピンスプリング２７が外挿される前方小径部３１Ｂを有し、後端には係入部３１Ｃが設けられたボルトキー３１と、前記ハンドル２８が外装された略筒形をなす基体部３２Ａの内周に前記ボルトボディ１５の後端部に着脱可能に取付けられる固定手段３０を有し、前記ボルトキー３１の前記係入部３１Ｃが係脱可能に取付けられる係合穴３２Ｂを対応位置に設けたボルトハンドルシュラウド３２と、により構成され、前記ボルトキー３１の前記係入部３１Ｃを前記係合穴３２Ｂに係入することにより前記ボルトハンドルシュラウド３２と前記ボルトキー３１とを一体化するとともに、前記ボルトボディ１５と前記ボルトハンドルシュラウド３２とを前記ボルトキー３１を介して着脱可能に取付けるように構成される。
【０１０８】
しかも、前記ボルトボディ１５が、ファイヤリングピンスプリング２７の附勢力を先端側に受ける前記ファイヤリングピン１０の後端に設けた突起１０Ａを、組付け時には軸方向Ｘに進退可能に挿入させるように後端から軸方向Ｘに向けて設けられ、先端には前記突起１０Ａの前進を規制可能になる突起係入凹部３４ａを有する開口溝３４と、前記突起係入凹部３４ａの近傍の周面には、使用時に前記ハンドル２８によるボルトアッセイ５の第１の位置Ｎ１への押し込み、およびその後の回動操作によりシャー１３に設けられた係止突起１３ａに係脱可能になり、前記ファイヤリングピンスプリング２７を圧縮しつつ前記ファイヤリングピン１０を弾薬６の撃射に備えてコック状態にし、前記開口溝３４から軸方向Ｘに連続して分岐されたカム溝３５と、が連設されているので、ボルトアッセイ５のボルトボディ１５とハンドル操作部材２９とを分解するのには、ハンドル操作部材２９としてボルトキー３１の後端に突設した係入部３１Ｃが係合穴３２Ｂに係合されて一体化しているボルトハンドルシュラウド３２と、略筒状のボルトボディ１５とを、ボルトボディ１５内に内挿されているファイヤリングピンスプリング２７の附勢力に抗して回転すると、ボルトボディ１５の外周に設けられた複数個の保持用突起３８が、ボルトハンドルシュラウド３２の基体部３２Ａの内周に設けられた環状溝４０からの係合が解かれ、この環状溝４０に開口端へと連設されている着脱用切欠部３９から解放されることにより、ボルトボディ１５とハンドル操作部材２９とは工具、例えば、プライヤー、レンチ、ピット、ドライバー、ハンマーを必要とせずに分解され、掃除を行うことができる。
【０１０９】
また、ハンドル操作部材２９としてのボルトキー３１の前記係入部３１Ｃを、ボルトハンドルシュラウド３２の後端に設けられた係合穴３２Ｂから脱係することにより、ボルトハンドルシュラウド３２と、ボルトキー３１とを前記工具を要することなく分解し、ハンドル操作部材２９の内部の掃除を行うことができる。
【０１１０】
そして、ボルトアッセイ５を組付けるのには、ファイヤリングピンスプリング２７の附勢力を先端側に受けるようにファイヤリングピン１０を略筒状のボルトボディ１５内に内挿し、このファイヤリングピン１０の後端に設けた突起１０Ａを、ボルトボディ１５の外周に後端から軸方向Ｘに向けて設けられた開口溝３４の先端に設けられた突起係入凹部３４ａに当接して前進が規制されるまで挿入し、ボルトボディ１５に対して、内部に挿入されるファイヤリングピン１０、およびファイヤリングピンスプリング２７の軸方向Ｘ、および半径方向の取付位置の位置決めを行い、がたつきを規制する。
【０１１１】
そして、ハンドル操作部材２９としてボルトキー３１の後端に突設した係入部３１Ｃをボルトハンドルシュラウド３２の係合穴３２Ｂ内に係入してボルトキー３１と、ボルトハンドルシュラウド３２とを一体化する。この際、ボルトキー３１の係入部３１Ｃをボルトハンドルシュラウド３２の係合穴３２Ｂ内に係入するのに、係止鍔３１Ｄがボルトハンドルシュラウド３２の内面に当接するまで係入部３１Ｃを係合穴３２Ｂ内に係入することにより前進を規制し、組付後には係止鍔３１Ｄがボルトハンドルシュラウド３２の内面に全面的に密接することにより、がたつきを規制する。
【０１１２】
次いで、ファイヤリングピンスプリング２７の附勢力に抗して前記ボルトキー３１をボルトボディ１５の開口内に後端から押し込み、ボルトボディ１５の外周後端から軸方向Ｘに設けた開口溝３４内にボルトキー３１の略中程に設けた突起３１Ａを挿入し、ボルトボディ１５またはハンドル操作部材２９との何れかを他方に対して僅かに相対的に回動することにより、前記突起３１Ａを前記開口溝３４の途中に周方向に交わる円周溝３６を介してこの円周溝３６の頭上部に軸方向Ｘに設けたボルトキー取付溝３７内に係入させることによりボルトボディ１５に対するボルトキー３１の取付位置の位置決めを行う。
【０１１３】
それから、ボルトハンドルシュラウド３２の開口端に設けられた着脱用切欠部３９内にボルトボディ１５の外周に設けられた複数個の保持用突起３８を挿入し、ファイヤリングピンスプリング２７の附勢力に抗して僅かにボルトハンドルシュラウド３２を押圧することにより保持用突起３８を着脱用切欠部３９から、その奥に設けられた環状溝４０内に押し込み、変位させる。
【０１１４】
そうして、ハンドル操作部材としてのボルトハンドルシュラウド３２と、ボルトボディ１５とを、分解時とは反対方向に相対的に回転することにより、前記保持用突起３８を環状溝４０内に係止し、ファイヤリングピンスプリング２７の附勢力を後退側に働かせた状態でボルトボディ１５と、ボルトハンドルシュワルド３２とを緩みを生ずることなく固定し、前記工具を要することなく全体として棒状のボルトアッセイ５を迅速かつ確実に組付けることができる。
【０１１５】
さらに、ボルトボディ１５内には、このボルトボディ１５の後端から軸方向Ｘに開設した開口溝３４の先端の突起係入凹部３４ａの近傍に、軸方向Ｘに分岐して連設したカム溝３５内に配置されている突起１０Ａを有するファイヤリングピン１０と、このファイヤリングピン１０を先端側に附勢するファイヤリングピンスプリング２７とが内挿されているので、ファイヤリングピンスプリング２７、および突起１０Ａをカム溝３５から開口溝３４を経てボルトボディ１５の後端側へと脱係することにより、ファイヤリングピン１０をボルトボディ１５から引き抜いて分解すれば、ボルトボディ１５内に入った砂や埃を掃除することができる。
【０１１６】
図示する実施形態では、前記ボルトアッセイ５が前記レシーバー４から引き出される移動を常時、規制するための移動規制手段７として、シャー１３の前記係止突起１３ａが係止可能になるようにボルトボディ１５の外周に設けられた係止面１６は、その内断面において、一端側を径方向に窪ませて形成されるが、図示される係止面１６は代表的な例示であり、図示するものに限らず、溝、凹部、段部、突起等によっても実現できる。
【０１１７】
上記説明では、レシーバー４の貫通孔３内に直線的に移動可能に且つ第１の位置Ｎ１および第２の位置Ｎ１において回動可能に設けられてボルトアクションを行うためのボルトアッセイ５の移動規制手段７による第２の位置Ｎ２より後退側への移動規制を解除してレシーバー４の後端側からの抜き出しを解除するための手動操作手段８は、その基部１７ａの上方肩部に第１係合凹部２２Ａ、第２係合凹部２２Ｂ、および、係止斜面部２２Ｃを連続して設け、前記上方肩部に弾性的に滑動可能に設けられる滑動ばね足２３ａを一端に有する弾性部材としての松葉ばね２３を設けたことにより、ボルト解放位置Ｆ、撃射モード位置Ｎ、安全モード位置Ｂの３位置を節度的に選択して弾力保持するようにしたレバー式を採用しているが、上記説明は代表的な例示であり、手動操作手段８はこれに限ることはなく、要は例えば前記ボルト解放操作位置Ｆ、前記撃射モード位置Ｎ、前記安全モード位置Ｂの３位置を節度的に選択できるものであれば如何様なものでもよく、スライド式のものであってもよい。
【産業上の利用可能性】
【０１１８】
本発明は、必要時には、山野のような戸外においても、工具や治具を要せずに、レシーバー内からボルトアッセイを引き抜いて簡単な取扱操作により確実に分解が行え、砂や埃を取り除いて掃除が容易に行えるようにし、また、掃除後の組立も簡単かつ確実に行え、保守・点検にも優れ、信頼度も高いという用途・機能に適する。
【符号の説明】
【０１１９】
１      バレル
２      薬室
３      貫通孔
４      レシーバー
５      ボルトアッセイ
６      弾薬
６Ａ    弾
６Ｂ    薬莢
７      移動規制手段
８      手動操作手段
１０    ファイヤリングピン
１０Ａ  突起
１１    係止部材
１２    トリガー
１３    シャー
１３ａ  係止突起
１５    ボルトボディ
１６    係止面
１７    操作レバー
１８    枢軸部
１９    第１係止部
２０    第２係止部
２１    円弧状空間部
２３    松葉ばね
２７    ファイヤリングピンスプリング
２８    ハンドル
３１    ボルトキー
３１Ａ  突起
３１Ｃ  係入部
３２    ボルトハンドルシュラウド
３２Ｂ  係合穴
３４    開口溝
３４ａ  突起係入凹部
３５    カム溝
３６    円周溝
３７    ボルトキー取付溝
Ｆ      ボルト解放位置
Ｎ      撃射モード位置
Ｂ      安全モード位置
Ｏ      軸芯
Ｏ′    軸芯
Ｘ      軸方向
【図１】
2011012851.tif 000003
【図２】
2011012851.tif 000004
【図３】
2011012851.tif 000005
【図４】
2011012851.tif 000006
【図５】
2011012851.tif 000007
【図６】
2011012851.tif 000008
【図７】
2011012851.tif 000009
【図８】
2011012851.tif 000010
【図９】
2011012851.tif 000011
【図１０】
2011012851.tif 000012
【図１１】
2011012851.tif 000013
【図１２】
2011012851.tif 000014
【図１３】
2011012851.tif 000015
【図１４】
2011012851.tif 000016
【図１５】
2011012851.tif 000017
【図１６】
2011012851.tif 000018
【図１７】
2011012851.tif 000019
【図１８】
2011012851.tif 000020
【図１９】
2011012851.tif 000021
【図２０】
2011012851.tif 000022
【図２１】
2011012851.tif 000023
【図２２】
2011012851.tif 000024
【図２３】
2011012851.tif 000025
【図２４】
2011012851.tif 000026
【図２５】
2011012851.tif 000027
【図２６】
2011012851.tif 000028
【図２７】
2011012851.tif 000029
【図２８】
2011012851.tif 000030
【図２９】
2011012851.tif 000031
【図３０】
2011012851.tif 000032
【図３１】
2011012851.tif 000033
【図３２】
2011012851.tif 000034
【図３３】
2011012851.tif 000035
【図３４】
2011012851.tif 000036
【図３５】
2011012851.tif 000037
【図３６】
2011012851.tif 000038
【図３７】
2011012851.tif 000039
【図３８】
2011012851.tif 000040
【図３９】
2011012851.tif 000041